(57)【要約】      （修正有）【課題】靴の構成要素の破損を補償するための装置及び方法を提供する。【解決手段】物品を締め付けるためのリールは、ハウジングと、ハウジング内に位置されるスプールとを含む。スプールをハウジング内で回転させ、それにより、引張部材をスプールの中心ポストの周囲に巻回するために、ノブがスプールと結合される。荷重保持機構が、スプール及びハウジングと結合されるとともに、第２の方向でのスプールの回転を防止してスプールの中心ポストからの引張部材の繰り出しを防止するべく摩擦係合可能な第１の摩擦要素及び第２の摩擦要素を含む。ノブの第１の方向の回転は、摩擦要素の摩擦係合を低下させて、スプールの第１の方向の回転を可能にし、また、引張部材の張力は、スプールを第２の方向に回転させるように付勢し、摩擦要素の摩擦係合を高める。【選択図】図８Ｂ
2020097491.tif 000002
【特許請求の範囲】
【請求項１】
物品を締め付けるためのリールにおいて、
前記物品と結合できるベース部材と、
前記ベース部材の上に位置されるとともに前記ベース部材と取り外し可能に結合できるハウジングであって、前記ハウジングが内部領域を有する、ハウジングと、
前記ハウジングの前記内部領域内に位置されるとともに、前記ハウジングに対して回転できるスプールであって、前記スプールが中心ポストを有し、該中心ポストの周りに引張部材が巻回される、スプールと、
前記スプールと結合されるとともに、前記引張部材を前記スプールの前記中心ポストの周りに巻回するために前記スプールを前記ハウジングの前記内部領域内で第１の方向に回転させるように構成されるノブ部材と、
前記スプール及び前記ハウジングと結合される荷重保持機構であって、前記スプールの前記中心ポストからの前記引張部材の繰り出しを防止するべく前記第１の方向とは反対の第２の方向での前記スプールの回転を防止するために摩擦係合可能な第１の摩擦要素及び第２の摩擦要素を備える前記荷重保持機構と、
を備え、
前記ノブ部材の前記第１の方向の回転は、前記第１の摩擦要素と前記第２の摩擦要素との摩擦係合を低下させて、前記スプールの前記第１の方向の回転を可能にし、
前記引張部材の張力は、前記スプールを前記第２の方向に回転させるように付勢して、前記第１の摩擦要素と前記第２の摩擦要素との摩擦係合を高める、
リール。
【発明の詳細な説明】
【技術分野】
【０００１】
[0001]この出願は、“紐破損張力補償装置及び方法”と題される２０１３年９月１３日に出願された米国特許出願公開第６１／８７７，６２８号明細書及び“紐破損張力補償装置及び方法”と題される２０１４年２月７日に出願された米国特許出願公開第６１／９３７，３７２号明細書の優先権を主張し、これらの出願の全体の開示は、全ての目的のため、あたかも本明細書中に完全に記載されるかのように参照により本願に組み入れられる。
【背景技術】
【０００２】
[0002]本明細書中に記載される実施形態は、ブレース、医療装置、靴、衣類、衣服などの様々な物品のための閉鎖装置に関する。そのような物品は、一般に、物品を身体部分の周囲に配置して閉鎖できるようにする閉鎖装置を含む。閉鎖装置は、一般に、物品を身体部分に保持する或いは固定するために使用される。例えば、靴は、一般に、個人の足上にわたって配置され、また、足の周囲で靴を閉鎖して靴を足に固定するために、紐に張力が付与されて紐が縛られる。従来の閉鎖装置は、身体部分の周囲の物品の嵌め合い及び／又は快適さを高めるために努力して改変されてきた。例えば、靴レーシング形態及び／又はパターンは、着用する靴の嵌め合い及び／又は快適さを高めようとして改変されてきた。また、従来の閉鎖装置は、物品を閉鎖して身体部分の周囲に固定できる時間を減らすべく努力して改変されてきた。これらの改変は、物品を迅速に閉鎖して足に固定できるようにする様々なプルコード、ストラップ、及び、張力付与装置の使用をもたらしてきた。
【発明の概要】
【課題を解決するための手段】
【０００３】
[0003]本明細書中に記載される実施形態は、閉鎖システム及びそのための構成要素を提供する。
１つの態様によれば、物品を締め付けるためのリールは、物品と結合できるベース部材と、ベース部材の上に位置されるとともにベース部材と取り外し可能に結合できるハウジングとを含む。ハウジングは、スプールが内部に位置される内部領域を含む。スプールは、ハウジング内で回転できるとともに、中心ポストを含み、該中心ポストの周りに引張部材が巻回される。ノブ部材がスプールと結合され、ノブ部材は、引張部材をスプールの中心ポストの周りに巻回するためにスプールをハウジングの内部領域内で第１の方向に回転させるように構成される。また、リールは、スプール及びハウジングと結合される荷重保持機構も含む。荷重保持機構は、スプールの中心ポストからの引張部材の繰り出しを防止するべく第１の方向とは反対の第２の方向でのスプールの回転を防止するために摩擦係合可能な第１の摩擦要素／構成要素及び第２の摩擦要素／構成要素を含む。ノブ部材の第１の方向の回転は、第１の摩擦要素と第２の摩擦要素との摩擦係合を低下させて、スプールの第１の方向の回転を可能にし、また、引張部材の張力は、スプールを第２の方向に回転させるように付勢して、第１の摩擦要素と第２の摩擦要素との摩擦係合を高める。
【０００４】
[0004]幾つかの実施形態において、ノブ部材は、引張部材に結び目を結ぶことができるようにする或いは結合要素を引張部材と結合できるようにするために引張部材が挿通可能なテーパ状ルーメンを含む。そのような実施形態において、結び目又は結合要素は、リールの分解を伴うことなく引張部材とスプールとの取り付けを可能にするために引張部材がルーメン内に引き込まれるときにテーパ状ルーメンと係合する。そのような実施形態において、ハウジングは、引張部材が挿通可能なルーメンを含んでもよい。ハウジングのルーメンがノブ部材のルーメンと位置合わせしてもよく、それにより、位置合わせ時に、ハウジングのルーメンが引張部材をノブ部材のルーメンを通じて方向付ける。
【０００５】
[0005]幾つかの実施形態では、ベース部材がスプリング部材を含み、該スプリング部材は、環状溝内に位置されるとともに、ハウジングを物品と取り外し可能に結合するためにハウジングの下端と解放可能に係合する。幾つかの実施形態において、リールは、ハウジングと回転可能に結合されるとともに、第２の摩擦要素の先端に取り付けられる解放機構を含む。解放機構は、スプールを第２の方向に回転させることができるようにすることによりスプールの中心ポストからの引張部材の繰り出しを可能にするべくハウジングに対して回転できる。幾つかの実施形態では、解放機構がロック位置とロック解除位置との間で回転できてもよく、ロック位置では、スプールの第２の方向の回転が防止され、ロック解除位置では、スプールの第２の方向の回転が可能にされる。他の実施形態において、解放機構の第２の方向の連続的な回転は、スプールの中心ポストから引張部材を繰り出すためにスプールの第２の方向の対応する回転を引き起こす。
【０００６】
[0006]幾つかの実施形態において、スプールは、スプールと該スプールのポストの周りに巻回される引張部材の一部とがユーザに見えるようにハウジングの１又は複数の壁によって完全に収容されない。そのような実施形態において、ハウジングの１又は複数の壁は、スプール及び／又はノブとハウジング及び／又はベース部材との結合を補強するためにベース部材又はスプールの下部からスプールの上部及び／又はノブの下面まで延びてもよい。
【０００７】
[0007]幾つかの実施形態において、第１の摩擦要素は、スプールのルーメンと同軸に位置合わせされてルーメン内に位置されるハブであり、第２の摩擦要素は、ハブの周囲に巻回されるとともにスプールの第２の方向の回転を防止するべくハブの外面の周囲で収縮するように構成されるスプリングである。幾つかの実施形態では、第１の摩擦要素が一対のハブであり、前記ハブのうちの第１のハブがハウジングと結合固定されるとともに、前記ハブのうちの第２のハブがノブと結合固定される。そのような実施形態において、前記ハブのうちの第２のハブは、スプリングと前記ハブの対との摩擦係合が低下されるときに前記ハブのうちの第１のハブに対して回転するように構成される。前記ハブのうちの第２のハブは、スプリングと前記ハブの対との摩擦係合が高められるときに前記ハブのうちの第１のハブに対して回転可能にロックされる。
【０００８】
[0008]他の態様によれば、物品を締め付けるためのリールは、内部領域と、物品に取り付け可能なベースとを有するハウジングと、ハウジングの内部領域内に位置されるとともにハウジングに対して回転できるスプールとを含む。スプールは中心ポストを含み、該中心ポストの周りに引張部材が巻回される。ノブ部材がスプールと結合され、ノブ部材は、引張部材をスプールの中心ポストの周りに巻回するためにスプールをハウジングの内部領域内で第１の方向に回転させるように構成される。荷重保持機構がスプール及びハウジングと結合される。荷重保持機構は、スプールの中心ポストからの引張部材の繰り出しを防止するべく第１の方向とは反対の第２の方向でのスプールの回転を防止するために摩擦係合可能な第１の摩擦要素及び第２の摩擦要素を含む。ノブ部材の第１の方向の回転は、第１の摩擦要素と第２の摩擦要素との摩擦係合を低下させて、スプールの第１の方向の回転を可能にし、また、引張部材の張力は、荷重保持機構を第２の方向に回転させるように付勢して、第１の摩擦要素と第２の摩擦要素との摩擦係合を高める。
【０００９】
[0009]幾つかの実施形態において、リールは、ハウジングと回転可能に結合されるとともに、第２の摩擦要素の先端に取り付けられる解放機構を含む。解放機構は、スプールを第２の方向に回転させることができるようにすることによりスプールの中心ポストからの引張部材の繰り出しを可能にするべくハウジングに対して回転できる。幾つかの実施形態では、解放機構がロック位置とロック解除位置との間で回転でき、ロック位置では、スプールの第２の方向の回転が防止され、ロック解除位置では、スプールの第２の方向の回転が可能にされる。他の実施形態において、解放機構の第２の方向の回転は、スプールの中心ポストから引張部材を繰り出すためにスプールの第２の方向の対応する回転を引き起こす。
【００１０】
[0010]幾つかの実施形態において、第１の摩擦要素は、スプールのルーメンと同軸に位置合わせされてルーメン内に位置されるハブであり、第２の摩擦要素は、ハブの周囲に巻回されるとともにスプールの第２の方向の回転を防止するべくハブの外面の周囲で収縮するように構成されるスプリングである。幾つかの実施形態では、第１の摩擦要素が一対のハブであり、前記ハブのうちの第１のハブがハウジングと結合固定されるとともに、前記ハブのうちの第２のハブがノブと結合固定される。そのような実施形態において、前記ハブのうちの第２のハブは、スプリングと前記ハブの対との摩擦係合が低下されるときに前記ハブのうちの第１のハブに対して回転するように構成され、前記ハブのうちの第２のハブは、スプリングと前記ハブの対との摩擦係合が高められるときに前記ハブのうちの第１のハブに対して回転可能にロックされる。
【００１１】
[0011]他の態様によれば、リール式機構を用いて靴を組み付けるための方法は、リールを用意するステップであって、リールが、ベース部材と、内部領域を有するハウジングと、ハウジングの内部領域内に位置されるとともにハウジングに対して回転できるスプールと、スプールと結合されるノブ部材と、スプール及びハウジングと結合される荷重保持機構とを含む、ステップを含む。スプールは中心ポストを含み、該中心ポストの周りに引張部材が巻回され、また、ノブ部材は、引張部材をスプールの中心ポストの周りに巻回するためにスプールをハウジングの内部領域内で第１の方向に回転させるように構成される。荷重保持機構は、スプールの中心ポストからの引張部材の繰り出しを防止するべく第１の方向とは反対の第２の方向でのスプールの回転を防止するために摩擦係合可能な第１の摩擦要素及び第２の摩擦要素を含む。荷重保持機構は、ノブ部材の第１の方向の回転が第１の摩擦要素と第２の摩擦要素との摩擦係合を低下させてスプールの第１の方向の回転を可能にするとともに、引張部材の張力が荷重保持機構を第２の方向に回転させるように付勢して第１の摩擦要素と第２の摩擦要素との摩擦係合を高めるように構成される。また、方法は、ベース部材を物品と結合するステップも含む。
【００１２】
[0012]幾つかの実施形態では、ハウジングがベース部材と一体に形成される。幾つかの実施形態では、ハウジングがベース部材と取り外し可能に結合できる。幾つかの実施形態では、ベース部材がスプリング部材を含み、該スプリング部材は、環状溝内に位置されるとともに、ハウジングを物品と取り外し可能に結合するためにハウジングの下端と解放可能に係合する。
【００１３】
[0013]他の態様によれば、構成要素を物品に解放可能に取り付けるための機構は、物品に取り付け可能なベース部材を含む。ベース部材は、内側キャビティ又は開口と、内側キャビティ又は開口内に配置されるチャネルと、チャネル内に位置されるスプリング構成要素とを含む。スプリング構成要素は、構成要素の下端をベース部材の内側キャビティ又は開口内にロックすることにより構成要素をベース部材と解放可能に結合するべく構成要素が内側キャビティ又は開口内に挿入されるときに構成要素の下端の周りで径方向に撓むように構成される。
【００１４】
[0014]幾つかの実施形態では、内側キャビティ又は開口のチャネルが環状チャネルであり、また、スプリング構成要素は、構成要素の下端が内側キャビティ又は開口内に挿入されるときに環状チャネル内で径方向に撓む。そのような実施形態において、スプリング構成要素は、径方向の撓み時に拡大する内径を有するスプリットリングスプリングであってもよい。そのような実施形態では、内径の拡大が環状チャネルによって抑制されてもよく、構成要素の下端の外径は、環状チャネルによって許容されるスプリットリングの最大内径より大きくてもよく、それにより、ベース部材の内側キャビティ又は開口内への構成要素の下端の挿入を可能にするべく構成要素の下端の挿入がベース部材又は構成要素の下端を屈曲させる。
【００１５】
[0015]幾つかの実施形態において、構成要素の下端は、スプリング構成要素が内部に位置される環状チャネルを含み、又は、構成要素の下端が複数のロックタブを含み、構成要素の下端を内側キャビティ又は開口内にロックするためにスプリング構成要素がロックタブの周囲で屈曲する。幾つかの実施形態において、スプリング構成要素は、スプリットリング、馬蹄形スプリング、又は、クローバスプリングである。幾つかの実施形態において、ベース部材は、該ベース部材の下端の外周全体又はその一部から径方向に延びるフランジを更に含む。フランジは物品と結合可能であってもよい。
【００１６】
[0016]他の態様によれば、構成要素を物品に対して解放可能に取り付けるための方法は、内側キャビティ又は開口と、内側キャビティ又は開口内に配置されるチャネルと、チャネル内に位置されるスプリング構成要素とを含むベース部材を用意するステップを含む。また、方法は、ベース部材を物品に取り付けるステップと、スプリング構成要素が構成要素の下端の周囲で径方向に撓むことにより構成要素の下端をベース部材の内側キャビティ又は開口内にロックするように構成要素の下端を内側キャビティ又は開口内に挿入するステップとを含む。幾つかの実施形態において、ベース部材を物品に取り付けるステップは、ベース部材のフランジを物品に結合するステップを含む。
【００１７】
[0017]他の態様によれば、物品を締め付けるための紐締めシステムは、引張部材と、引張部材を物品の周囲の経路に沿って案内するために物品の周りに位置されるとともに引張部材と動作可能に結合される複数のガイド部材とを含む。また、紐締めシステムは、物品の締め付けを行うために引張部材と動作可能に結合されるとともに第１の張力レベルまで引張部材に張力を付与するように構成される締め付け機構も含む。紐締めシステムは、引張部材と結合されるストッパ部材を更に含む。ストッパ部材は、引張部材の破断時に、引張部材において第２の張力レベルを維持し、それにより、物品の締め付けを維持するために、複数のガイド部材のうちの少なくとも１つと係合するように構成される。第２の張力レベルは、第１の張力レベルよりも小さいとともに、公称張力レベルよりも大きい。
【００１８】
[0018]幾つかの実施形態において、ストッパ構成要素は、引張部材と物品との結合の後に引張部材と結合するように構成される。幾つかの実施形態において、ストッパ構成要素は、引張部材の一部が挿通して位置されるルーメンと、引張部材の一部が周囲に巻回されるチャネルとを含む。ストッパ構成要素は、ストッパ構成要素が複数のガイド部材のうちの少なくとも１つに引き通されることを防止するために複数のガイド部材のうちの少なくとも１つの開口よりも大きい。
【００１９】
[0019]他の態様によれば、引張部材における張力を引張部材の破断時に維持するための方法が提供される。方法では、引張部材が物品を締め付けるために使用され、物品は、引張部材と、引張部材を物品の周囲の経路に沿って案内するために、物品の周りに位置されるとともに、引張部材と動作可能に結合される複数のガイド部材と、物品の締め付けを行うために、引張部材と動作可能に結合されるとともに、第１の張力レベルまで引張部材に張力を付与するように構成される締め付け機構とを含む。方法は、ストッパ部材を引張部材と結合させるステップを含む。ストッパ部材は、引張部材の破断時に、引張部材において第２の張力レベルを維持し、それにより、物品の締め付けを維持するために、複数のガイド部材のうちの少なくとも１つと係合するように構成される。第２の張力レベルは、第１の張力レベルよりも小さいとともに、公称張力レベルよりも大きい。
【００２０】
[0020]本発明は、添付の図と併せて説明される。
【図面の簡単な説明】
【００２１】
【図１】足又は四肢の周りで靴又は他の衣服又は装置を締め付けるために使用されてもよい一般的な閉鎖システム又は紐締めシステムを示す。
【図２】足又は四肢の周りで靴又は他の衣服又は装置を締め付けるために使用されてもよい一般的な閉鎖システム又は紐締めシステムを示す。
【図３】足又は四肢の周りで靴又は他の衣服又は装置を締め付けるために使用されてもよい一般的な閉鎖システム又は紐締めシステムを示す。
【図４】足又は四肢の周りで靴又は他の衣服又は装置を締め付けるために使用されてもよい一般的な閉鎖システム又は紐締めシステムを示す。
【図５Ａ】紐の破損又は破断の後に紐締めシステムの紐に張力を付与したままにすることができる実施形態を示す。
【図５Ｂ】紐の破損又は破断の後に紐締めシステムの紐に張力を付与したままにすることができる実施形態を示す。
【図５Ｃ】紐の破損又は破断の後に紐締めシステムの紐に張力を付与したままにすることができる実施形態を示す。
【図５Ｄ】紐の破損又は破断の後に紐締めシステムの紐に張力を付与したままにすることができる実施形態を示す。
【図５Ｅ】紐の破損又は破断の後に紐締めシステムの紐に張力を付与したままにすることができる実施形態を示す。
【図５Ｆ】紐の破損又は破断の後に紐締めシステムの紐に張力を付与したままにすることができる実施形態を示す。
【図５Ｇ】紐の破損又は破断の後に紐締めシステムの紐に張力を付与したままにすることができる実施形態を示す。
【図６Ａ】紐の破損又は破断の後に紐締めシステムの紐に張力を付与したままにすることができる実施形態を示す。
【図６Ｂ】紐の破損又は破断の後に紐締めシステムの紐に張力を付与したままにすることができる実施形態を示す。
【図６Ｃ】紐の破損又は破断の後に紐締めシステムの紐に張力を付与したままにすることができる実施形態を示す。
【図６Ｄ】紐の破損又は破断の後に紐締めシステムの紐に張力を付与したままにすることができる実施形態を示す。
【図７Ａ】紐の破損又は破断の後に紐締めシステムの紐に張力を付与したままにすることができる実施形態を示す。
【図７Ｂ】紐の破損又は破断の後に紐締めシステムの紐に張力を付与したままにすることができる実施形態を示す。
【図８Ａ】物品を閉鎖する及び／又は締め付けるために使用されてもよいリールアセンブリの一実施形態を示す。
【図８Ｂ】物品を閉鎖する及び／又は締め付けるために使用されてもよいリールアセンブリの一実施形態を示す。
【図８Ｃ】物品を閉鎖する及び／又は締め付けるために使用されてもよいリールアセンブリの一実施形態を示す。
【図８Ｄ】物品を閉鎖する及び／又は締め付けるために使用されてもよいリールアセンブリの一実施形態を示す。
【図８Ｅ】物品を閉鎖する及び／又は締め付けるために使用されてもよいリールアセンブリの一実施形態を示す。
【図８Ｆ】物品を閉鎖する及び／又は締め付けるために使用されてもよいリールアセンブリの一実施形態を示す。
【図９Ａ】物品を閉鎖する及び／又は締め付けるために使用されてもよいリールアセンブリの他の実施形態を示す。
【図９Ｂ】物品を閉鎖する及び／又は締め付けるために使用されてもよいリールアセンブリの他の実施形態を示す。
【図９Ｃ】物品を閉鎖する及び／又は締め付けるために使用されてもよいリールアセンブリの他の実施形態を示す。
【図９Ｄ】物品を閉鎖する及び／又は締め付けるために使用されてもよいリールアセンブリの他の実施形態を示す。
【図９Ｅ】物品を閉鎖する及び／又は締め付けるために使用されてもよいリールアセンブリの他の実施形態を示す。
【図９Ｆ】物品を閉鎖する及び／又は締め付けるために使用されてもよいリールアセンブリの他の実施形態を示す。
【図９Ｇ】物品を閉鎖する及び／又は締め付けるために使用されてもよいリールアセンブリの他の実施形態を示す。
【図９Ｈ】物品を閉鎖する及び／又は締め付けるために使用されてもよいリールアセンブリの他の実施形態を示す。
【図９Ｉ】物品を閉鎖する及び／又は締め付けるために使用されてもよいリールアセンブリの他の実施形態を示す。
【図９Ｊ】物品を閉鎖する及び／又は締め付けるために使用されてもよいリールアセンブリの他の実施形態を示す。
【図９Ｋ】物品を閉鎖する及び／又は締め付けるために使用されてもよいリールアセンブリの他の実施形態を示す。
【図９Ｌ】物品を閉鎖する及び／又は締め付けるために使用されてもよいリールアセンブリの他の実施形態を示す。
【図９Ｍ】物品を閉鎖する及び／又は締め付けるために使用されてもよいリールアセンブリの他の実施形態を示す。
【図９Ｎ】物品を閉鎖する及び／又は締め付けるために使用されてもよいリールアセンブリの他の実施形態を示す。
【図９Ｏ】物品を閉鎖する及び／又は締め付けるために使用されてもよいリールアセンブリの他の実施形態を示す。
【図９Ｐ】物品を閉鎖する及び／又は締め付けるために使用されてもよいリールアセンブリの他の実施形態を示す。
【図９Ｑ】物品を閉鎖する及び／又は締め付けるために使用されてもよいリールアセンブリの他の実施形態を示す。
【図９Ｒ】物品を閉鎖する及び／又は締め付けるために使用されてもよいリールアセンブリの他の実施形態を示す。
【図９Ｓ】スプリング−ハブ機構の別の実施形態を示す。
【図９Ｔ】スプリング−ハブ機構の別の実施形態を示す。
【図９Ｕ】スプリング−ハブ機構の別の実施形態を示す。
【図１０Ａ】物品を閉鎖する及び／又は締め付けるために使用されてもよいリールアセンブリの他の実施形態を示す。
【図１０Ｂ】物品を閉鎖する及び／又は締め付けるために使用されてもよいリールアセンブリの他の実施形態を示す。
【図１０Ｃ】物品を閉鎖する及び／又は締め付けるために使用されてもよいリールアセンブリの他の実施形態を示す。
【図１０Ｄ】物品を閉鎖する及び／又は締め付けるために使用されてもよいリールアセンブリの他の実施形態を示す。
【図１０Ｅ】物品を閉鎖する及び／又は締め付けるために使用されてもよいリールアセンブリの他の実施形態を示す。
【図１０Ｆ】物品を閉鎖する及び／又は締め付けるために使用されてもよいリールアセンブリの他の実施形態を示す。
【図１０Ｇ】物品を閉鎖する及び／又は締め付けるために使用されてもよいリールアセンブリの他の実施形態を示す。
【図１１Ａ】物品を閉鎖する及び／又は締め付けるために使用されてもよいリールアセンブリの他の実施形態を示す。
【図１１Ｂ】物品を閉鎖する及び／又は締め付けるために使用されてもよいリールアセンブリの他の実施形態を示す。
【図１１Ｃ】物品を閉鎖する及び／又は締め付けるために使用されてもよいリールアセンブリの他の実施形態を示す。
【図１１Ｄ】物品を閉鎖する及び／又は締め付けるために使用されてもよいリールアセンブリの他の実施形態を示す。
【図１１Ｅ】物品を閉鎖する及び／又は締め付けるために使用されてもよいリールアセンブリの他の実施形態を示す。
【図１２Ａ】物品を閉鎖する及び／又は締め付けるために使用されてもよいリールアセンブリの他の実施形態を示す。
【図１２Ｂ】物品を閉鎖する及び／又は締め付けるために使用されてもよいリールアセンブリの他の実施形態を示す。
【図１２Ｃ】物品を閉鎖する及び／又は締め付けるために使用されてもよいリールアセンブリの他の実施形態を示す。
【図１２Ｄ】物品を閉鎖する及び／又は締め付けるために使用されてもよいリールアセンブリの他の実施形態を示す。
【図１３Ａ】物品を閉鎖する及び／又は締め付けるために使用されてもよいリールアセンブリの他の実施形態を示す。
【図１３Ｂ】物品を閉鎖する及び／又は締め付けるために使用されてもよいリールアセンブリの他の実施形態を示す。
【図１３Ｃ】物品を閉鎖する及び／又は締め付けるために使用されてもよいリールアセンブリの他の実施形態を示す。
【図１３Ｄ】物品を閉鎖する及び／又は締め付けるために使用されてもよいリールアセンブリの他の実施形態を示す。
【図１３Ｅ】物品を閉鎖する及び／又は締め付けるために使用されてもよいリールアセンブリの他の実施形態を示す。
【図１３Ｆ】物品を閉鎖する及び／又は締め付けるために使用されてもよいリールアセンブリの他の実施形態を示す。
【図１４Ａ】構成要素を物品に解放可能に取り付けるための機構を示す。
【図１４Ｂ】構成要素を物品に解放可能に取り付けるための機構を示す。
【発明を実施するための形態】
【００２２】
[0032]添付の図では、同様の構成要素及び特徴が同じ数値参照ラベルを有する場合がある。また、同じタイプの様々な構成要素が、同様の構成要素及び／又は特徴の間を区別する文字を参照ラベルの後に続けることによって区別される場合がある。最初の数値参照ラベルのみが明細書中で使用される場合、記述は、添え字にかかわらず同じ最初の数値参照ラベルを有する同様の構成要素及び／又は特徴のうちの任意の１つに適用できる。
【００２３】
[0033]以下の説明は、典型的な実施形態を与えるにすぎず、本開示の範囲、適用性、又は、形態を限定しようとするものではない。むしろ、典型的な実施形態の以下の説明は、１つ以上の典型的な実施形態を実施できるようにする説明を当業者に与える。添付の特許請求の範囲に記載される本発明の思想及び範囲から逸脱することなく、要素の機能及び配置において様々な変更がなされてもよいことが理解されるべきである。
【００２４】
[0034]本明細書中に記載される実施形態は、靴の構成要素の破損を補償するために使用されてもよい様々な装置及び方法を提供する。例えば、靴の紐は、絶え間ない疲労により及び／又は過酷な条件及び／又は紐応力に晒されることにより破断する場合がある。例えば、ロッククライミング、競技、及び、同様のもの等の幾つかの活動では、靴の紐が鋭利な及び／又は粗い物体と接触して擦り付く場合がある。物体により、靴の紐が僅かに擦り切れる、裂ける、或いはさもなければ、破断する場合がある。そのような厳しい状態に繰り返し晒されると、及び／又は、足の突然の動きに起因して紐の張力が突然に増大すると、紐が破損する場合がある。同様に、軍事的な状況では、兵士により着用される靴が極端な厳しい条件に晒される場合があり、それにより、紐の寿命が大きく低下する及び／又は紐の突然の破損を引き起こす場合がある。同様の厳しい状態を、警察官、消防士、建設作業員、他の専門の作業者等によって着用される靴が受ける場合もある。
【００２５】
[0035]紐の破損により、結果的に、靴が緩くなりすぎて足に密着しなくなる場合がある。したがって、靴は、適切な或いは望ましい支持及び／又は保護をもたらすことができない場合がある。極端なケースでは、靴が足から完全に抜け落ちる場合があり、或いは、非常に緩くなって靴の着用に弊害をもたらす場合がある。例えば、ロッククライミング活動において、靴の紐の破損は、ユーザの足を荒い岩肌に晒す場合があり、及び／又は、ユーザが岩を登ろうと試みるときに滑る場合がある。これは、足の損傷或いは出血をもたらす場合があり、登山状態を危険ならしめる場合がある。スポーツの状況では、靴の損失により、結果として参加者がプレーを終える或いは完了することができなくなる場合があり、及び／又は、参加者が倒れる或いはつまずく場合がある。軍事的用途において、靴の損失又は靴の締め付けの損失により、結果として、兵士が軍事行動に参加できなくなる或いは危険な状況から逃れることができなくなる場合がある。極端なケースでは、例えば兵士が危険な状況から逃れることができない或いは結果として敵により捕らえられる或いは撃たれるときには、靴の喪失が個人の死をもたらす場合がある。
【００２６】
[0036]本明細書中に記載される他の実施形態は、構成要素の使用中に可聴ノイズを殆どもたらさない靴構成要素を提供する。例えば、本明細書中に記載されるように、一部の靴は、靴の紐を締め付ける及び／又は緩めるために回転されてもよいノブ・リールアセンブリを使用して張力が付与される或いは締め付けられる。従来のリールアセンブリは、しばしば、それらがユーザによって回転されるときに、可聴ノイズ、例えば１つ以上の内部構成要素からのクリック音などをもたらす。幾つかの状況では、そのような可聴ノイズをもたらすことなく靴に張力を付与する或いは靴を締め付けることが望ましい場合がある。例えば、ユーザは、靴が締め付けられているときに公共の場にいる場合があり或いは自分自身に注意を引き付けたくない場合がある。同様に、ハンター又は野外活動家は、しばしば、自分達の場所に標的が警戒するのを避けるために可能な限り静かなままでいたい。軍事的な状況において、兵士は、自分達の場所に敵が警戒するのを避けるために及び／又は兵士が敵に気付かれずにこっそり近づくことができるようにするために可聴ノイズを引き起こしたくない場合がある。
【００２７】
[0037]実施形態のこれらの態様及び他の態様は、以下で与えられる幾つかの図の説明に関連して実現される。しかしながら、特定の実施形態を説明する前に、図１−図４は、足又は四肢の周りで靴又は他の衣服又は装置を締め付けるために使用されてもよい閉鎖システム又は紐締めシステムの一般的な描写として与えられる。また、実施形態が主に靴に向けられるが、物体に張力を付与する必要があるほぼ任意の用途に対して本明細書中に記載される実施形態が適用されてもよいことも理解されるべきである。例えば、実施形態は、様々な医療用途で、サスペンダーで、スポーツ器具、室外着、バックパック、帽子等で使用されてもよい。
【００２８】
[0038]ここで、図１を参照すると、靴１０２を締め付けるために使用される紐締めシステム１００の一実施形態の斜視図が示される。靴は、着用者の足の周囲で締め付けられ得る任意の適した履物であってもよい。紐締めシステム１００は、例えばベルト、帽子、手袋、スノーボードバインディング、医療用ブレース、又は、バッグなどの本明細書中に記載される様々な他の物品を閉鎖する或いは締め付けるために使用され得る。紐締めシステムは、リールアセンブリ１０４、紐１０６、及び、１つ以上の紐ガイド１０８を含むことができる。図示の実施形態では、リールアセンブリ１０４を靴の舌１１０に取り付けることができる。様々な他の形態も想定し得る。例えば、リールアセンブリ１０４を靴１０２の側面に取り付けることができ、これは、舌１１０のごく一部だけを露出させたままにして締め付けられるときに靴側面１１２ａ，１１２ｂが互いに引き寄せられて近づくようになっている靴にとって有利となり得る。リールアセンブリ１０４を靴１０２の背面に取り付けることもでき、また、紐１０６の一部は、背面装着されたときのリールアセンブリ１０４と紐１０６が係合され得るように、着用者の足首の両側で、時として紐が挿通して移動するためのチューブを使用して、靴１０２を通り抜けることができる。幾つかの実施形態では、リールアセンブリ１０４がレーシングスロートの上端又は上端付近の側面に取り付けられてもよい。
【００２９】
[0039]図２は、紐締めシステム１００又は本明細書中に記載される任意の他の紐締めシステムに類似し得る紐締めシステム２００の一実施形態の斜視図である。紐締めシステムは、リールアセンブリ１０４又は本明細書中に記載される任意の他のリール／ノブアセンブリに類似し得るリールアセンブリ２０４を含むことができる。図３は、リールアセンブリ２０４の分解斜視図である。図４は、リールアセンブリ２０４の他の分解斜視図である。
【００３０】
[0040]図２−図４を参照すると、リールアセンブリ２０４は、ベース部材２１４、スプール部材２１６、及び、ノブ部材２１８を含むことができる。ベース部材は、ハウジング２２０と装着フランジ２２２とを含むことができる。スプールハウジング２２０は、径方向内側に延びることができる複数のラチェット歯２２４を含むことができる。ベース部材２１４は、紐２０６がスプールハウジング２２０に入ることができるようにする紐穴（例えば２２６ａ）を含むことができる。
【００３１】
[0041]スプール部材２１６は、スプール部材２１６が軸２２８の周りでスプールハウジング２２０に対して回転できるようにスプールハウジング２２０内に配置され得る。紐２０６は、スプール部材２１６が（矢印Ａにより示される）締め付け方向に回転するときに紐２０６がスプールハウジング２２０内に引き込まれてスプール部材２１６に形成されるチャネル２３０の周囲に巻回されるとともにスプール部材２１６が（矢印Ｂにより示される）緩め方向に回転するときに紐２０６がスプール部材２１６のチャネル２３０から繰り出してスプールハウジング２２０から紐穴（例えば２２６ａ）を介して抜け出るようにスプール部材２１６に固定され得る。また、スプール部材２１６は、該スプール部材に形成されるスプール歯２３２を含むこともできる。矢印Ｂにより示される方向の回転が紐を締め付けるように本明細書中に開示される実施形態を変更できることが理解され得る。この特定の実施形態において、ノブ部材２１８は、スプールが方向Ｂに惰性で回って紐を解放できるようにするべくスプール２３０から離れるように軸方向で隆起してもよい。他の実施形態では、矢印Ａにより示される方向でのノブ部材２１８の回転が紐締めシステムを緩めてもよい。特定の実施形態では、紐締めシステムを緩めるためにノブ部材２１８が（例えば、矢印Ａにより示される）緩め方向に特定の量（例えば１／４回転〜１／２回転）だけ回転されてもよい。紐を締め付ける、紐を解放する、又は、紐張力を調整するために他のユーザインタフェースが想定し得る。
【００３２】
[0042]ノブ部材２１８は、ノブ部材２１８が軸２２８の周りでスプールハウジング２２０に対して回転できるようにスプールハウジング２２０に取り付けられ得る。ノブ部材２１８は、締め付け方向でのノブ部材２１８の回転によりスプール部材２１６も締め付け方向に回転するようにノブ部材２１８をスプール部材２１６に結合するためにスプール歯２３２と噛み合うべく構成され得るノブ歯２３４を含むことができる。幾つかの実施形態において、緩め方向でのノブ部材２１８の回転は、スプール部材２１６を緩め方向に回転させることもできる。ノブ部材２１８は、ラチェット歯２２４と噛み合うように径方向外側に付勢され得る１つ以上の爪２３６を含むこともできる。爪２３６及びラチェット歯２２４は、ノブ部材２１８が締め付け方向に回転されるときにラチェット歯２２４が爪２３６を径方向内側に移動させることができ、それにより、ノブ部材２１８が締め付け方向に回転できるように構成され得る。他の実施形態において、爪２３６及びラチェット歯２２４の形態は、爪２３６が内側に付勢するように逆にされてもよい。爪２３６及びラチェット歯２２４は、ノブ部材２１８を緩め方向にねじるべく力が印加されるときにそれらが互いに係合し、それにより、ノブ部材２１８が緩め方向に回転することを防止するように構成することもできる。他の構成において、ラチェット歯２２４は、軸方向で噛み合うように対応して配置されるノブ爪部材（図示せず）と係合するように軸方向に向けられてもよい。
【００３３】
[0043]したがって、リールアセンブリ２０４などのリールアセンブリは、ユーザがノブ部材２１８を締め付け方向に回転させることができるようにし、それにより、スプール部材２１６が締め付け方向に回転し、その結果、紐２０６が紐穴（例えば２２６ａ）を介してスプールハウジング２２０に引き込まれるように構成される一方向締め付けシステムをもたらすことができる。紐２０６がスプールハウジング２２０内に引き込まれるにつれて、紐締めシステム２００は締まることができ、それにより、紐ガイド２０８がリールアセンブリ２０４へ向かう（図２に矢印Ｃにより示される）方向に引き寄せられる。紐締めシステム２００は単一の紐ガイド２０８と共に示されるが、任意の他の適した数の紐ガイドを使用できる。リール・紐締めシステムの他の特徴は、”リール式紐締めシステム”と題される２０１１年４月２９日に出願された米国特許出願公開第２０１１／０２６６３８４号明細書に記載され、その全体の開示は参照により本願に組み入れられる。
【００３４】
[0044]ここで、図５Ａ−図７Ｂを参照すると、紐の破損又は破断の後に閉鎖システム又は紐締めシステムの紐に張力を付与したままにすることができる実施形態が示される。図５Ａ−図７Ｂに示される実施形態は、前述したようなリールアセンブリ及びノブ装置を含む紐締めシステムを示す。しかしながら、実施形態がそのような紐締めシステムに限定されないこと、及び、実施形態がほぼ任意の従来の紐締めシステム、例えば標準的な靴紐又はプルコードシステム等と共に使用されてもよいことが理解されるべきである。
【００３５】
[0045]図５Ａ及び図５Ｂは、前述したような複数のガイド５０６の周りに位置される紐５０２を含む紐締めシステム５００を示す。ストッパ部材５０４が一対のガイド５０６間の紐経路の先端に位置される。ストッパ部材５０４は、紐５０２と結合されるとともに、紐５０２の破断時又は破損時に靴が完全に緩くなるのを防止するべく及び／又は紐締めシステム５００のリールアセンブリをその後に操作して紐５０２に張力を付与できるようにするべく紐の半分がガイドと結合されて張力を付与されたままとなるように紐５０２をほぼ半分に分ける。例えば、位置５０８で示されるような紐の破断時又は破損時に、ストッパ部材５０４は、紐５０２と結合されたままであるとともに、ストッパ部材５０４がガイド５０６と接触する又は係合するまでガイド５０６の方へ引かれる。ストッパ部材５０４とガイド５０６との係合は、紐締めシステムの紐５０２の半分に張力が付与されたままであるように紐５０２の更なる滑りを防止する。
【００３６】
[0046]張力は、ストッパ部材５０４が対向するガイド間のほぼ中央位置からガイド５０６と係合する状態へと移動するため、ある程度まで減少し得るが、靴における全体の張力は、さもなければ紐５０２の全面的な破損に伴って得られる張力よりもかなり大きい。また、ストッパ部材５０４がガイド５０６と係合された状態で紐締めシステム５００のリールアセンブリを操作して紐５０２に更に張力を付与してもよい。したがって、紐張力及び靴の締め付けの僅かな減少でさえ、紐締めシステムのリールアセンブリを使用して紐５０２に再び張力を付与することによって是正され得る。図５Ａに示されるように、幾つかの実施形態において、ストッパ部材５０４は、紐５０２上にわたって位置されて紐の周りでクランプされてもよいクランプ構成要素を含んでもよい。そのようなクランプ構成要素は、フェイルセーフモードを与えるために従来の紐又は紐締めシステムと共にクランプされてもよい。他の実施形態において、ストッパ部材５０４は、組み込み構成要素であってもよく、或いはさもなければ、紐５０２に事前に嵌め付いてもよい。クランプ構成要素に加えて、ストッパ部材５０４は、ロック可能なフェルール、捩じ込み紐ロック等であってもよい。
【００３７】
[0047]図５Ｅは、紐の破損時に紐張力及び靴の締め付けを維持することができるストッパ部材を含む紐締めシステム５１０の他の実施形態を示す。具体的には、図５Ｅは、第１の紐５１２及び第２の紐５１４とそれぞれ結合される一対のストッパ部材５１３，５１５を示す。前述したように、例えばポイント５１６での第１の紐５１２の破損時、第１の紐５１２の更なる滑りを防止して靴の幾らかの張力又は締め付けを維持するために第１のストッパ部材５１３が紐締めシステム５１０のガイドと係合する状態へと引かれる。同様に、例えばポイント５１７での第２の紐５１４の破損時、第２の紐５１４の更なる滑りを防止して靴の幾らかの張力又は締め付けを維持するために第２のストッパ部材５１５が紐締めシステム５１０のガイドと係合する状態へと引かれる。その後、第１及び／又は第２の紐５１２，５１４にそれぞれ張力を更に付与するために紐締めシステム５１０のリールアセンブリが操作されてもよい。
【００３８】
[0048]図５Ｅの実施形態は、紐締めシステム５１０の耐破損において冗長性を与える。つまり、紐締めシステムの紐の全体的な或いは破滅的な破損をもたらすためには、紐締めシステムの紐が約４回破損しなければならない。例えば、第１の紐５１２（すなわち、ポイント５１６）の破損時、第１の紐５１２の半分は張力が付与されたままである一方、第２の紐５１４の全体は張力が付与されたままであり、或いは、逆もまた同様である。同様に、第２の紐５１４（すなわち、ポイント５１７）の破損時、第１の紐５１２の半分は張力が付与されたままであるとともに、第２の紐５１４の半分は張力が付与されたままである。紐の一方の更なる破損時（例えば、ポイント５１８での第２の紐５１４の破損）、紐締めシステムの紐（例えば、図示のような紐５１２）の半分は、該紐も同様に破損又は破断を受けるまで張力が付与されたままである。紐締めシステム５１０の冗長性は、全体的な或いは破滅的な破損を受ける前に長期にわたって靴を極端な厳しい状態に晒すことができるようにする。
【００３９】
[0049]図５Ｃ及び図５Ｄは、引張部材又は紐と結合されてもよいストッパ構成要素５２０を示し、この場合、引張部材の破断時にストッパ構成要素がガイド部材（例えば、ガイド５０６等）と係合して紐の張力を維持するようになっている。本明細書中で説明されるように、紐張力は、初期の張力又は第１の張力レベルよりも小さい第２の張力レベルまで僅かに減少する場合があるが、減少された張力又は第２の張力レベルは、紐張力がない等の公称張力レベルよりも大きい。減少された又は第２の張力レベルは、物品が十分な締め付けレベルを維持するようにするために十分である。例えば、張力は、靴又は履物がユーザの足にとどまり続けてユーザが靴又は履物を使用できるようにするのに十分である。本明細書中に記載されるように、紐は、それ以降、第１の張力レベル付近まで又はそれよりも大きくなるまで紐張力を増大させるべく破断後に再び張力が付与されてもよい。
【００４０】
[0050]ストッパ構成要素５２０は本体５２２を含んでもよく、本体５２２は、該本体を貫通して延びるルーメン５２６を有する。ルーメン５２６は、紐が物品と結合されてから或いは結合された後にストッパ構成要素５２０が紐と結合できるようにする。例えば、靴紐が靴の周囲に位置されてもよく、また、その後、靴紐の一部がストッパ構成要素５２０と結合されてもよい。紐は、紐にループを形成してループをストッパ構成要素５２０のルーメン５２６に挿通することによってストッパ構成要素と結合されてもよい。紐のループは、その後、ストッパ構成要素本体５２２の上部と下部との間に形成されるチャネル５２４内に位置されてもよい。ループは、紐をストッパ構成要素５２０と結合させるためにチャネル５２４内に１回又は複数回位置されてもよい。本明細書中に記載されるように、ストッパ構成要素５２０は、ストッパ構成要素５２０がガイドを通り抜けて引かれないようにするために隣接するガイドの開口よりも大きく寸法付けられる。
【００４１】
[0051]１つの実施形態によれば、紐又は引張部材の張力を紐の破断時に維持するための方法は、ストッパ部材を物品の紐と結合することを含み、物品は、紐と、物品の周囲の経路に沿って引張部材を案内するために物品の周囲に位置されるとともに引張部材と動作可能に結合される複数のガイド部材と、物品の締め付けを行うために引張部材と動作可能に結合されるとともに引張部材に第１の張力レベルまで張力を付与するように構成される締め付け機構とを含む。ストッパ部材は、引張部材の破断時に、引張部材において第２の張力レベルを維持し、それにより、物品の締め付けを維持するために、複数のガイド部材のうちの少なくとも１つと係合するように構成される。第２の張力レベルは、第１の張力レベルよりも小さいとともに、公称張力レベルよりも大きい。
【００４２】
[0052]図５Ｇは、紐締めシステムの紐の破損時又は破断時に張力が付与されたままであり続けることができる紐締めシステム５２０の他の実施形態を示す。紐締めシステム５２０は、基端がリールアセンブリと結合されるとともに先端が終端され或いはガイド５２６と結合固定される第１の紐５２２を含む。また、紐締めシステム５２０は、基端がリールアセンブリと結合されるとともに先端が終端され或いはガイド５２４と結合固定される第２の紐５２３を含む。紐のうちの一方の破損時、例えば第１の紐５２２の破断５２８時、他方の紐（例えば紐５２３）は、リールアセンブリと結合されてそれぞれのガイド（例えばガイド５２４）と結合固定されたままである。このようにすると、紐締めシステムの紐の約１／２は、靴の周囲で張力が付与されたままであり、リールアセンブリを介して依然として張力を付与できる。第１及び／又は第２の紐５２２，５２３の先端は、紐を終端させる或いは紐と結合固定するように特別に形成されるガイドを使用することによって終端され或いはそれぞれのガイドと結合固定されてもよい。他の実施形態において、紐に結び目がつけられてもよく、或いは、システムは、バレル留め具、ネジ切り留め具、クラムシェルスナップ留め具、カムロック、スクリーンロック、及び／又は、当該技術分野において知られる任意の他の機械的締結具又は他の締結具を使用してもよい。
【００４３】
[0053]図６Ａは紐締めシステム６００の他の実施形態を示し、この実施形態では、耐破損冗長性が紐締めシステム６００に組み込まれる。例えば、紐締めシステム６００は第１の紐６０２及び第２の紐６０４を含み、これらの紐はいずれも、リールアセンブリと結合するとともに、紐経路に沿って複数の紐ガイドにわたって巻き付く。ストッパ部材６０６が紐経路の先端で且つ２つの紐ガイド間で第１の紐６０２及び第２の紐６０４の両方と結合される。ストッパ部材６０６及び２つの紐６０２，６０４の使用により、紐締めシステムは、ストッパ部材６０６が紐ガイドのうちの１つと接触する状態へと引かれる前に、少なくとも１つの紐破損、一般的には２つの紐破損に耐えることができる。
【００４４】
[0054]例えば、第１の紐６０２が第１の破損又は破断を受ける場合には、第１の紐６０２と同じ紐経路にわたって巻回される第２の紐６０４の使用に起因して、ストッパ部材６０６は靴に対して所定位置にとどまり、また、靴の嵌め合い又は締め付けは比較的不変のままである。また、ストッパ部材６０６の使用に起因して、第１の紐６０２の半分も張力を受けたままである。第１の紐６０２が張力を付与されたままである第１の紐６０２の部分で第２の破損又は破断を受ける場合にも、第２の紐６０４により、先と同様、ストッパ部材６０６は、靴に対して所定位置にとどまり、靴の嵌め合い又は締め付けをほぼ維持する。そのようなシナリオにおいて、ストッパ部材６０６は、第２の紐６０４の破損時にのみ紐ガイドと接触する状態へと引かれる。張力を受けたままである第２の紐６０４の部分には、その後に、望み通りにリールアセンブリを介して張力を更に付与することができる。第２の紐６０４の更なる破損は、紐締めシステム６００の紐の全体的な或いは破滅的な破損をもたらす。
【００４５】
[0055]他のシナリオでは、ストッパ部材６０６が紐ガイドと接触する状態へと引かれる前に、第１の紐６０２及び第２の紐６０４がそれぞれ少なくとも１回破損する。例えば、第１の紐６０２がストッパ部材６０６の第１の側６０３で破損するとともに、第２の紐６０４が第１の側６０３と反対側のストッパ部材６０６の第２の側６０５で破損する場合には、ストッパ部材６０６が靴に対して所定位置にとどまり、また、靴の嵌め合い又は締め付けはほぼ影響されないままである。これは、ストッパ部材６０６が第１の側６０３で第２の紐６０４と結合されたままであるとともに第２の側６０５で第１の紐６０２と結合されたままだからである。いずれか一方の紐６０２，６０４の更なる破損により、結果的に、ストッパ部材６０６が前述したように紐ガイドと接触する状態へと引かれる。
【００４６】
[0056]第１の紐６０２及び第２の紐６０４がいずれもストッパ部材６０６の同じ側（例えば、側６０３又は側６０５）で破損するシナリオでは、ストッパ部材６０６が紐ガイドと接触する状態へと引かれる。
【００４７】
[0057]紐締めシステム６００は、例えば靴の嵌め合い又は締め付けを維持することが紐の破損時に決定的に重要な意味を持つときなど、ある場合に好ましいかもしれない。また、紐締めシステム６００は、紐締めシステム６００の紐の一方の破損時に紐経路が保たれて靴を締め付けるために使用できるため、好ましいかもしれない。つまり、紐締めシステム６００では、紐の破損により、結果的に、紐の半分だけを使用して靴に張力を付与する或いは靴を締め付けることができない。
【００４８】
[0058]図６Ｂは、紐締めシステム６００に類似する紐締めシステム６１０を示し、この場合、紐締めシステム６１０は第１の紐６１２及び第２の紐６１４を含む。紐締めシステム６１０は、第１のストッパ部材６１８が第１の紐６１２と結合されるとともに第２のストッパ部材６１６が第２の紐６１４と結合されるという点において僅かに異なる。第１の紐６１２又は第２の紐６１４のいずれか一方の破損時に、他方の紐は、前述したように靴の嵌め合い又は締め付けを維持する。第１の紐６１２及び第２の紐６１４の両方が破損するシナリオでは、第１のストッパガイド６１８及び第２のストッパガイド６１６が図示のように引かれて紐ガイドのうちの１つに当て付く。第１の紐６１２及び第２の紐６１４が紐経路の反対側で破損する場合、第１のストッパ部材６１８及び第２のストッパ部材６１６は反対側の紐ガイドと係合する状態へと引かれ、それにより、紐締めシステム６１０の紐経路は比較的不変のままであり、また、第１及び第２の紐６１２，６１４に張力を付与して靴を締め付けるためにリールアセンブリを使用できる。本明細書中に記載される他の実施形態の幾つかと同様に、紐締めシステム６１０は、紐締めシステム６１０が全体的な或いは破滅的な破損を受ける前に少なくとも４つの紐破損を必要とする。
【００４９】
[0059]図６Ｃは、荷重釣り合わせ構成要素６３０と結合される第１の紐６２２及び第２の紐６２４を含む紐締めシステム６２０の一実施形態を示す。図示のように、第１の紐６２２が構成要素６３０の第１のプーリ６３４の周囲に巻回され、一方、第２の紐６２４が構成要素６３０の第２のプーリ６３２の周囲に巻回される。ストッパ部材６３５，６３３が第１の紐６２２及び第２の紐６２４とそれぞれ結合される。紐の一方の破損時に、ストッパ部材は、紐の更なる滑りを阻む或いは防止するストッパピンと係合する状態へとプーリの周りで回動する。例えば、図６Ｃは、第２の紐６２４の破損と、ストッパピン６３７と係合する状態へと引かれる第２のストッパ部材６３３とを示す。ストッパ部材６３３は、紐をプーリ６３２とストッパピン６３７との間に位置させることによってストッパピン６３７と係合する状態へと引かれる。荷重釣り合わせ構成要素６３０は、第１の紐６２２及び第２の紐６２４の張力を紐経路の両側で釣り合わせるために対向する紐ガイド間で横方向に変位する或いは移動することができる。幾つかの実施形態において、構成要素６３０は、構成要素６３０が紐張力荷重を釣り合わせることができるようにするためにストッパ６３６とスライド可能に結合されてもよい。紐のうちの一方の第２の破損時、構成要素６３０は、残りの紐の更なる滑りを防止するためにストッパ６３６及び／又は紐ガイドのうちの一方と係合させられてもよい。先の実施形態の幾つかと同様に、紐締めシステム６２０は、全体的な或いは破滅的な破損が受けられる前に４つの紐破損を必要とする。
【００５０】
[0060]図６Ｄは、紐張力釣り合わせ構成要素６４０の一実施形態を示す。紐張力釣り合わせ構成要素６４０は、第１の紐６５４が内部に位置される第１の下側チャネル６４４と、第２の紐６５２が内部に位置される第２の上側チャネル６４８とを有する本体６４２を含む。第１のチャネル６４４は一対の下側紐ポート６４６を含み、上側紐チャネル６４８も同様に一対の上側紐ポート６５０を含む。下側及び上側紐ポート６４６，６５０はストッパ構成要素５２０などのストッパ構成要素よりも小さいサイズを成し、それにより、紐の破断時に、ストッパ構成要素又は紐が上側及び／又は下側紐ポート６４６，６５０と係合し、ストッパ構成要素又は紐を上側及び／又は下側紐ポート６４６，６５０に引き通すことができない。紐張力釣り合わせ構成要素６４０は、第１及び第２の紐６５２，６５４の紐張力を釣り合わせるために物品又は靴の周囲で移動してもよい。
【００５１】
[0061]図７Ａ及び図７Ｂは、紐の破損時又は破断時に更なる紐経路が形成され得る実施形態を示す。例えば、図７Ａは、先に説明されたように紐７０２及びストッパ部材７０６を含む紐締めシステム７００を示す。紐７０２は、最初に、第１の紐経路７０５ａを形成するために複数のガイドにわたって巻回されてもよい。例えば、図７Ａは、第１の紐経路７０５ａ形態を成して６つのガイドにわたって巻回される紐７０２を示す。ガイドの少なくとも一部、ある場合にはガイドの全ては、好ましくは、”オープンバック”ガイド、或いは、言い換えると、紐７０２を内部に位置させることができる開放チャネルを有するガイドである。オープンバックガイドの使用は、そのようなガイドにより、紐７０２をガイド内に封じ込める後壁をガイドが含まないことから、紐７０２をガイドから容易に取り外す或いは解くことができるため、好ましい場合がある。
【００５２】
[0062]また、紐締めシステム７００は、リールアセンブリに隣接して位置される結合構成要素７０８も含む。紐７０２の破断７０４時、紐７０２は、再び経路付けられて紐ガイドにわたって再巻回されるとともに、第２の紐経路７０５ｂを形成するべく結合構成要素７０８と結合されてもよい。結合構成要素７０８はチャネルを含んでもよく、該チャネルは、ストッパ部材７０６がチャネルを通り抜けて引かれるのを防止しつつ紐７０２をチャネル内に挿入できるようにするべく寸法付けられる。
【００５３】
[0063]第２の紐経路７０５ｂは第１の紐経路７０５ａよりも小さいが、第２の紐経路７０５ｂの形成は先の実施形態よりも好ましい場合がある。これは、第２の紐経路７０５ｂが十字に交差して荷重を比較的等しく靴の舌の両側で分配するからである。靴に張力を付与するために紐の半分だけが使用される先の実施形態は、靴の一方側の僅かに不均一な張力又は荷重をもたらす場合がある。
【００５４】
[0064]図７Ｂは、代わりの紐経路を形成できる他の実施形態を示す。図７Ｂの紐締めシステム７１０は、初期の或いは第１の紐経路形態７１７ａを有する第１の紐７１２及び第２の紐７１４を含む。第１のストッパ部材７１８が第１の紐７１２と結合されるとともに第２のストッパ部材７１６が第２の紐７１４と結合される。紐締めシステム７１０は、図７Ａの結合構成要素７０８と同様であってもよい第１の結合構成要素７１３を含む。紐締めシステム７１０は、レーシングガイドのうちの１つ以上の構成要素又は特徴であってもよい第２の結合構成要素７１５も含む。例えば、第２の結合構成要素７１５は、紐ガイドの突出部又はボスであってもよい。
【００５５】
[0065]第１の紐７１２の破損時又は破断時、第１の紐７１２は、第１の紐７１２に張力を付与することにより第１のストッパ部材７１８が第２の結合構成要素７１５及び紐ガイドと係合してそれにより第１の紐７１２の更なる移動又は滑りが防止されるように第２の結合構成要素７１５（例えば、紐ガイドの突出部／ボス）と紐ガイドのチャネルとの間に位置されてもよい。同様に、第２の紐７１４の破断時又は破損時、第２の紐７１４は、再び経路付けられて１つ以上の紐ガイドにわたって再巻回されるとともに、第２の紐７１４の更なる移動又は滑りを防止するべく第１の結合構成要素７１３と結合されてもよい。このようにして、紐の一方の破損時又は破断時に代わりの紐経路７１７ｂが形成されてもよい。幾つかの実施形態では、図７Ａの場合と同様に、第１の結合構成要素７１３又は第２の結合構成要素７１５のいずれか一方又は両方がリールアセンブリよりも上側に位置されてもよい。
【００５６】
[0066]前述したように、ある場合には、動作が比較的静かなリールアセンブリを設けることが有益な場合がある。そのようなリールアセンブリは、人により検知可能な可聴ノイズを本質的に生み出すことなく或いは生み出される可聴ノイズの大きさを最小限に抑えつつ紐締めシステムの紐に張力を付与できるようにしてもよい。本明細書中で使用される検知不可能／検知できない可聴ノイズの記述は、その全体の開示が参照により本願に組み入れられるＭＩＬ−ＳＴＤ−１４７４Ｄ，Ｒｅｑ．２，２０−３２頁に概説されるノイズレベルを下回る任意のノイズレベルに言及している。この文献は、米国国防総省により発行される設計基準規格を与える。以下で説明される実施形態は、先の組み入れられた文献で与えられるノイズレベル標準規格を満たして勝ることができる装置である。
【００５７】
[0067]また、リールアセンブリが開放に対する安全装置を有するように形成されることが望ましい場合もある。例えば、リールアセンブリは、比較的複雑な開放されるべき操作を伴ってもよく、及び／又は、２つの手の使用を伴ってもよい。そのような形態は、リールアセンブリが独りでに或いは偶然に解放するのを防止できる。例えば、ユーザがロッククライミングをしていて足の周りで靴に張力を保ってもらう必要があるときに、本明細書中に記載される安全装置は、岩又は他の物体に擦るように触れる或いはぶつかる際にリールアセンブリが開放することを防止できる。他の実施形態において、安全装置は、兵士が危険な状況から逃れているときにリールアセンブリが開放することを防止してもよく、さもなければ、リールアセンブリの開放及び履物の緩みが兵士の命を脅かす場合がある。
【００５８】
[0068]ここで図８Ａ−図８Ｆを参照すると、比較的動作が静かであるとともに偶発的な開放に対する安全装置を備えるリールアセンブリ８００の一実施形態が示される。図８Ａ及び図８Ｂに示されるように、リールアセンブリ８００は、下側ノブ８１０及び上側ノブ８０２を含む。上側ノブ８０２は、紐（図示せず）に張力を付与することにより靴を締め付けるべくユーザにより握られてもよい。リールアセンブリ８００は、リールアセンブリ８００の構成要素を収容する或いは包含するハウジング８４０を含む。下側ノブ８１０は、その外表面がハウジング８４０の外表面上にその周囲にわたって位置されるように構成される。
【００５９】
[0069]ハウジング８４０内にはスプール８５０が位置され、上側ノブ８０２がユーザにより回転されるとスプール８５０の周囲に紐が巻回される。スプール８５０は中心ボス８５２を含み、該中心ボスは、上側ノブ８０２のボス８１６の開口内にキー止めされ或いは挿入されるように構成される。キー止めされるボス８５２は、紐をスプール８５０の周囲に巻回するために上側ノブ８０２がユーザにより回転される際にスプール８５０が回転できるようにする。摩擦構成要素８３０もハウジング８４０内に位置される。摩擦構成要素８３０は、回転制御構成要素８４６の内面８４４と係合して相互に作用する複数の片持ちアーム８３２を含む。片持ちアーム８３２は、上側ノブ８０２が締め付け方向（例えば時計回り方向）に回転されるときに回転制御構成要素８４６の内面８４４に沿ってスライドする。摩擦構成要素８３０は、複数の爪又は爪アーム８２０と結合する複数の開口８３４を含む。具体的には、爪８２０の軸方向下方に延びる突出部又はボス８２６が摩擦構成要素８３０の開口８３４内に挿入される。
【００６０】
[0070]爪８２０は、摩擦構成要素８３０と下側ノブ８１０の底面との間に位置される。各爪８２０は、複数の爪歯８２２がその先端に位置されて成る片持ちアームを含む。爪歯８２２は、回転制御構成要素８４６の一組の歯８４２とロック係合して、スプール８５０の逆回転を防止し、それにより、紐締めシステムの紐の緩みを防止する。図８Ａ及び図８Ｂに示されるように、リールアセンブリ８００は、複数の分かれた別個の爪８２０を含むが、他の実施形態では、爪の全てが一緒に取り付けられ或いは結合されるように各爪８２０が基端で中央リングと結合されてもよい。
【００６１】
[0071]図８Ｂに示されるように、上側ノブ８０２の底面は、爪歯８２２を回転制御構成要素８４６の歯８４２の組から離脱させるために使用される複数のスイーパーアーム８１４を含む。以下に更に詳しく説明されるように、歯８４２の組からの爪歯８２２の離脱は、人により検知できる可聴ノイズを生み出すことなくリールアセンブリ８００を操作できるようにする。図８Ｂにも示されるように、下側ノブ８１０の底面は、紐を容易に且つ完全に緩めることができる”開放”形態にリールアセンブリを位置させるためにハウジング８４０の片持ちアーム８４１と連動する複数の傾斜面又はカム面８０４を含む。下側ノブ８１０の緩め方向（例えば反時計周り方向）の回転は、ハウジングの片持ちアーム８４１をカム面８０４に沿ってスライドさせ、それにより、片持ちアームを径方向外側に押し出して回転制御構成要素８４６の周方向に位置されるストッパ構成要素８４５との係合から離脱させる。ハウジング８４０の片持ちアーム８４１及び回転制御構成要素８４６のストッパ構成要素８４５は、リールアセンブリを所定位置に保持して或いはロックしてスプール８５０の緩め方向の回転を防止するべく係合する。これらの構成要素の離脱は、紐をスプールから繰り出すために回転制御構成要素８４６及びスプール８５０がハウジング８４０内で自由に回転できるようにする。
【００６２】
[0072]ハウジング８４０は、スプライン歯８４３，８６２の噛合によってベース部材８６０と結合固定される。スプライン歯８４３，８６２の噛合は、ベース部材８６０に対するハウジング８４０の回転を防止する。スプライン歯８４３，８６２の噛合は、片持ちアーム８４１がストッパ構成要素８４５と係合されるときに回転制御構成要素８４６及びスプール８５０の回転を更に防止する。リールアセンブリ８００を一括して結合するために締結構成要素８６６が中心ボス８６４と結合される。
【００６３】
[0073]図８Ｃ−図８Ｆは、リールアセンブリ８００の動作を示す。図８Ｃに示されるように、ロック形態では、爪歯８２２が回転制御構成要素８４６の歯８４２の組と噛合されてロックされる。爪歯８２２と歯８４２の組との噛合は、上側ノブ８０２が逆回転されるのを防止することによってスプール８５０の逆回転を防止する。上側ノブ８０２の逆回転は、図示のようにスイーパーアーム８１４の先端と各爪８２２の基端との係合によって防止される。図示のように、スイーパーアーム８１４の先端が爪８２２の基端と一致して２つの構成要素の係合を容易にしてもよい。ボス８５２とボス８１６の開口とのキー止め形態は、スプール８５０の逆回転を防止する。
【００６４】
[0074]図８Ｃに更に示されるように、スイーパーアーム８１４の先端又は表面は、（例えば、上側ノブ８０２の逆回転及び／又は紐張力によって）スイーパーアーム８１４が爪歯８２２の前面と係合するときに爪歯８２２が回転制御構成要素８４６の歯８４２の組と係合させられるように曲がっていてもよい。比較的高い紐張力レベルでは、上側ノブ８０２の逆回転が自動的に起こる場合がある。これは、紐張力によって、スプール８５０が逆回転して、キー止めされたボス８５２とボス８１６の開口とによって回転力がノブ８１０へ伝えられるからである。比較的低い紐張力レベルでは、上側ノブ８０２の逆回転がユーザによって行われる場合がある。
【００６５】
[0075]図８Ｄに示されるように、上側ノブ８０２の締め付け方向（例えば時計回り方向）の回転は、スイーパーアーム８１４を爪歯８２２に対して回転させる。ある時点で、スイーパーアーム８１４は、爪歯８２２と係合して、爪歯８２２を回転制御構成要素８４６の歯８４２の組との係合が外れるように回動させる。爪８２２は別個の構成要素又は部品であるため、爪歯８２２がスイーパーアーム８１４によって歯８４２の組との係合が外れるように回動されると、各爪８２０が僅かに回動でき、それにより、爪歯８２２の基端面又は基端が回動してスイーパーアーム８１４の先端又は先端面と接触する。ユーザ相互作用又は紐張力による反対方向のその後の回転によって、スイーパーアーム８１４の先端は、爪歯８２２を回転制御構成要素８４６の歯８４２と再び係合させる。スプール８５０の回転中に爪歯８２２が歯８４２の組から離脱されるため、可聴クリックノイズは、さもなければ歯８４２の組と接触する爪歯８２２が歯８４２の組を飛び越えることによって生み出されない。
【００６６】
[0076]図８Ｅ−図８Ｆは、開放形態又はロック解除形態にリールアセンブリを位置させるために下側ノブ８１０が使用されていることを示し、この開放形態又はロック解除形態において、スプール８５０は、第２の方向又は緩め方向に自由に回転でき、それにより、スプール８５０の周囲から紐を繰り出すことによって紐張力を緩めることができる。具体的には、図８Ｅは、回転制御構成要素８４６のストッパ構成要素８４５と係合されるハウジング８４０の片持ちアーム８４１を示す。この形態において、スプール８５０は、ハウジング８４０及びベース部材８６０に対してロックされ、第２の方向に回転することが防止される。図８Ｆは、片持ちアーム８４１の先端の軸方向上方に延びる部材を下側ノブ８１０のカム面８０４と係合させるために下側ノブ８１０がグリップ部材８０５によって第２の方向に回転されていることを示す。カム面８０４がハウジング８４０に対して回転するため、片持ちアーム８４１は、径方向外側に押し出されて、回転制御構成要素８４６のストッパ構成要素８４５から離脱され、それにより、回転制御構成要素８４６、スプール８５０、爪８２２、摩擦構成要素８３０、及び、上側ノブ８０２は、ハウジング８４０及びベース部材８６０に対して自由に回転できる。
【００６７】
[0077]ここで図９Ａ−図９Ｌを参照すると、比較的動作が静かであるとともに偶発的な開放に対する安全装置を備えるリールアセンブリ９００の他の実施形態が示される。図９Ａ−図９Ｃはリールアセンブリ９００の組み付け形態を示し、一方、図９Ｄ及び図９Ｅはリールアセンブリ９００の分解図を示す。図９Ｆ−図９Ｌは、リールアセンブリ９００の断面図及び詳細図を示す。図９Ａ−図９Ｅに示されるように、リールアセンブリ９００は、紐（図示せず）に張力を付与するとともに紐を緩めるためにユーザにより握持されて回転されてもよいグリップ面９０４を有するノブ９０２を含む。荷重保持機構９０８がノブ９０２の開口９０５内に位置され及び／又は開口９０５と同軸に位置合わせされる。図示の実施形態において、荷重保持機構９０８は、第１のハブ９０７ａと第２のハブ９０７ｂとを含む第１の摩擦要素９０７を有するスプラインドライブである。第１及び第２のハブ９０７ａ，９０７ｂはそれぞれ、ノブの対応するスプライン歯（すなわち、スプライン歯９０５）及びハウジングの対応するスプライン歯（すなわち、スプライン歯９３２）と係合するスプライン歯９０６ａ，９０６ｂを含む。各ハブ９０７ａ，９０７ｂは、それぞれのスプライン歯９０６ａ，９０６ｂから軸方向に延びる突出部を含む。各ハブ９０７ａ，９０７ｂの中心突出部は、ハブ９０７ａ，９０７ｂの両端がしばしば互いに接触する状態でリールアセンブリ９００の中心へ向けて延びる。
【００６８】
[0078]スプール構成要素９１０がノブ９０２よりも軸方向下方に位置されてクラッチ機構を介してノブと結合される。幾つかの実施形態において、クラッチ機構は、スプール９１０の軸方向に向けられる歯９１６を含んでもよく、これらの歯９１６は、ノブ９０２の対応する軸方向に向けられる歯９０１と噛み合う。軸方向に向けられる歯９１６，９０１の噛合は、トルク又は回転力をノブ９０２からスプール９１０へ伝えることにより、ユーザがノブ９０２を回転させて、それにより、スプール９１０の環状チャネル又は中心ポスト９１８の周囲に紐（図示せず）を巻回できるようにする。幾つかの実施形態において、ノブ９０２とスプール９１０との間のクラッチ機構（例えば、歯９１６，９０１）は、スプール９１０がノブ９０２に対して及び／又はリールアセンブリのハウジング９５０内で自由に回転でき、それにより、スプールの中心ポスト又は環状チャネル９１８の周囲から紐を繰り出すことができるようにするために離脱されてもよい。クラッチ機構の離脱は、ノブ９０２を軸方向上方へ引くことによって、ノブ９０２を逆回転させる（すなわち、ノブを緩め方向に回転させる）ことによって、或いは、ボタン構成要素、レバー機構、又は、解放機構を動作させる或いは押圧することよって達成されてもよい。
ノブ９０２の突出部９０９内。ハウジング構成要素９１０は、構成要素９１０を貫通して軸方向に延びるルーメン９１２を含む。スプリング構成要素９８０がハウジング構成要素９１０のルーメン９１２内に位置される。スロット９１４がルーメン９１２から接線方向に延びる。スプリング構成要素９８０のアームがスロット９１４内に位置されてもよい。また、ハウジング構成要素９１０は、突出部と９０９の底面と接触するフランジ状下面９１８も含む。フランジ状下面９１８は、さもなければハウジング構成要素９１０を突出部９０９と結合することによって形成される隙間内に紐が巻回されることを防止するためにノブ９０２の突出部９０９の直径と等しい又は該直径よりも大きい直径を有する。また、ハウジング構成要素９１０は、フランジ状下面９１８から径方向に延びるアーム９１６も含む。また、ノブ９０２は、以下で更に詳しく説明されるような紐をスプールと結合する際に使用されるルーメン９０３も含む。
【００６９】
[0079]また、リールアセンブリ９００は、リールアセンブリ９００の他の構成要素よりも軸方向下方に位置されるハウジング９５０も含む。ハウジング９５０は、ハウジング９５０の下端に位置されてハウジング９５０の外周の全体にわたって或いはハウジングの一部の周囲にわたって延びるベース部材又はフランジ９３０（以下、フランジ９３０）を含む。フランジ９３０は、裁縫、接着結合、機械的な締結、熱溶着、ＲＦ又は音波溶着等によってハウジング９５０を靴などの物品と結合できるようにする。ハウジング９５０は、リールアセンブリ９００のスプール９１０及び／又は他の構成要素が中に位置される内部領域又は内部を含む。スプール９１０は、ハウジングの内部領域内に位置されて該領域内で回転できる。
【００７０】
[0080]図９Ａ及び図９Ｂに示されるように、幾つかの実施形態において、ハウジング９５０の壁は、スプール９１０の一部及び／又はスプールの周囲に巻回される紐（図示せず）の一部がユーザに見えるようにスプール９１０を完全に収容しない。例えば、ハウジング９５０は、スプール９１０の両側に位置される一対の壁を含んでもよい。そのような実施形態では、ハウジング壁がフランジ９３０からノブ９０２の下面に隣接するまで延びてもよい。このようにすると、ハウジング壁９５０は、ハウジング９５０をスプール９１０及びノブ９０２を連結することができ、それにより、スプール９１０及びノブ９０２を支持して、側方からの衝撃又は他の力に起因する構成要素の偶発的な分離又は分解を防止又は制限できる。例えば、ノブ９０２及び／又はスプール９１０がぶつけられ或いは接触される場合、ハウジング壁９５０は、構成要素を補強して、構成要素の分離又は破壊を防止する。
【００７１】
[0081]ハウジング９５０の底面は、前述した第２のハブ９０７ｂのスプライン歯９０６ｂと噛み合うスプライン歯９３２を更に含む。ハウジング９５０のスプライン歯９３２と第２のハブ９０７ｂのスプライン歯９０６ｂとの噛合は、第２のハブ９０７ｂをハウジング９５０及び該ハウジングと結合される任意の物品に固定し、ハウジング９５０に対する第２のハブ９０７ｂの回転を防止する。第２のハブ９０７ｂがハウジング９５０及び該ハウジングと結合される任意の物品に固定されるため、第２のハブ９０７ｂは、荷重保持機構９０８の荷重保持構成要素として機能する。図９Ｓの単一ハブ形態又は図９Ｔ及び図９Ｕの他のハブ形態などの他の実施形態において、荷重保持構成要素は、スプリング構成要素のタング（ｔａｎｇ）又は内側円筒壁などの内側ハブ以外の何かであってもよい。
【００７２】
[0082]ハウジング９５０は、以下で更に詳しく説明されるスプリング構成要素９８０の解放を可能にするようにスプリング構成要素９８０を所定位置に維持するべく機能する軸方向に延びる内壁９６０を更に含む。内壁９６０は切り欠き９１４を含み、該切り欠き内にはスプリング構成要素の上側タング９８１が位置される。ハウジング９５０は、フランジ９３０の上面から軸方向上方に延びる環状リング９３５を更に含む。環状リング９３５は、塵埃及び他の残骸がリールアセンブリ９００の内部に入って、それにより、リールアセンブリの内部構成要素を劣化させる又は汚染するのを防止するために解放機構９２０の環状チャネル９２７内に位置される。環状リング９３５は、以下で更に詳しく説明されるように荷重保持機構を係合状態と離脱状態とに位置させるために解放機構９２０の戻り止め９２６と係合する戻り止め切り欠き９３７，９３６を含む。
【００７３】
[0083]解放機構９２０は、ハウジング９５０よりも軸方向上側に位置されてハウジングと同軸に位置合わせされる。解放機構９２０は、ハウジング９５０の環状リング９３５上にわたって環状チャネル９２７を位置させることによってハウジングと結合される。解放機構９２０がハウジング９５０と結合されると、内壁９６０が解放機構９２０の中心開口内に径方向に位置される。解放機構９２０は、以下で更に詳しく説明されるように第１の位置又は係合位置と第２の位置又は離脱位置との間で回転できるようにハウジング９５０と結合される。一対の径方向の延びる突出部などのタング係合機能部９２８が解放機構９２０の内側円筒壁上に位置される。タング係合機能部９２８は、スプリング構成要素９８０の下側タング９８２と係合して下側タング９８２を係合位置と離脱位置との間で回転させるようになっている。
【００７４】
[0084]解放構成要素９２０の係合位置と離脱位置との間での回転を可能にするために、解放構成要素９２０は、解放機構９２０を係合位置と離脱位置との間で回転させるためにユーザの親指及び人差し指によって握られてもよい一対のグリップタブ９２４を含む。また、解放機構９２０は、スプール９１０のクラッチ機構９１２と相互作用するクラッチ機構９２２も含む。図９Ｄ及び図９Ｅに示されるように、幾つかの実施形態において、クラッチ機は、解放機構９２０の上面に位置される軸方向に向けられる歯９２２を含み、これらの歯９２２は、スプール９１０の底面上に位置される対応する軸方向に向けられる歯９１２と係合する。スプール９１０のクラッチ機構及び解放機構９２０は、スプールの環状チャネル又は中心ポスト９１８の周りでの紐の意図される方向とは反対の方向の巻回である紐の”逆巻回”を防止する。逆巻回を防止するために、スプール９１０のクラッチ機構及び解放機構９２０は、紐の張力が所定のレベル又は公称レベル（例えば、ゼロ紐張力）を下回って減少する又は下がるときにのみ係合してもよい。スプールの歯９１２は、紐張力が所定のレベル（例えば、ゼロ紐張力付近）を上回るときにスプール９１０が解放機構９２０に対して自由に回転できるようにするべく解放機構の歯９２２よりも軸方向上側に位置されて歯９２２から離脱されてもよい。紐張力が所定の紐張力を下回って下がる又は減少すると、スプール９１０が解放機構９２０に対して軸方向下方へ移動してもよく、それにより、スプールの歯９１２は、解放機構の歯９２２と噛み合い、したがって、解放機構９２０及びハウジング９５０に対するスプール９１０の回転を防止する。解放機構９２０に対するスプール９１０の軸方向移動は、スプールの上歯９１６とノブの歯９０１との噛み合いによって達成されてもよい。例えば、低い紐張力レベルは、スプールの上歯９１６とノブの歯９０１とが離脱できるようにしてもよく、それにより、スプール９１０は、スプール９１０のクラッチ機構と解放機構９２０とを係合させるために軸方向下方へ移動できる。紐に張力を付与するためのノブ９０２の回転及び／又は所定のレベルを上回る紐張力は、スプール９１０を軸方向上方へ移動させて、スプール９１０のクラッチ機構と解放機構９２０とを離脱させてもよい。逆巻回を防止するために使用されてもよいクラッチ機構の更なる詳細は、その開示の全体が参照により本願に組み入れられる”漸増的解放機構を含む閉鎖装置及びそのための方法”と題される２０１４年７月１０日に出願された米国出願公開第１４／３２８，５２１号明細書で与えられる。
【００７５】
[0085]リールアセンブリ９００は、ハウジング９５０、解放機構９２０、スプール９１０、ノブ９０２、及び、荷重保持機構９０８（例えば、第１及び第２のハブ９０７ａ，９０７ｂ）と同軸に位置合わせされる第２の摩擦要素又はスプリング構成要素９８０を更に含む。スプリング構成要素９８０は、リールアセンブリ９００内の中心に位置されるとともに、第１及び第２のハブ９０７ａ，９０７ｂの周囲にある。スプリング構成要素９８０の下側タング９８２が解放機構９２０のタング係合機能部９２８内に位置され、一方、スプリング構成要素９８０の上側タング９８１が内壁９６０の切り欠き９１４内に位置される。
【００７６】
[0086]本明細書中の以下で更に詳しく説明されるように、スプリング構成要素９８０は、第１及び第２のハブ９０７ａ，９０７ｂの周囲で収縮又は開放するように構成され、それにより、スプール９１０の周りに紐を巻回するべくノブ９０２及びスプール９１０が第１の方向に回転できるとともに、紐をスプール９１０から繰り出すことができるようにする第２の方向にスプール９１０及び／又はノブ９０２が回転することが防止される。具体的には、ノブ９０２が第１の方向又は締め付け方向（例えば時計回り方向）に回転されると、第１のハブ９０７ａは、スプリング構成要素９８０の直径を僅か拡張させる方向に回転され、それにより、スプリング構成要素９８０と第１の摩擦要素（すなわち、第１及び／又は第２のハブ９０７ａ，９０７ｂ）との摩擦係合が低下される。スプリング構成要素９８０と第１のハブ９０７ａとの摩擦係合の低下により、ノブ９０２、第１のハブ９０７ａ、及び、スプール９１０が第１の方向又は締め付け方向に回転できる。スプール９１０の第１の方向又は締め付け方向の回転は、紐をスプールの中心ポスト又は環状チャネル９１８の周りに巻回させ、それにより、紐に張力を付与して、ユーザの足の周りの靴などの物品を締め付ける。スプリング構成要素９８０と第１のハブ９０７ａとの摩擦係合の低下は、第１のハブ９０７ａのロックを解除し或いは第１のハブ９０７ａを第２のハブ９０７ｂから回転方向で切り離し、それにより、第１のハブ９０７ａが第２のハブ９０７ｂに対して回転できる。
【００７７】
[0087]ノブ９０２が解放されると、紐の張力は、スプール９１０を第２の方向又は緩め方向（例えば反時計回り方向）に回転させように付勢する。つまり、紐がスプールの中心ポスト又は環状チャネル９１８の周りに巻回されるため、紐張力は、トルク又はモーメントを生じさせて、第２の方向又は緩め方向でのスプール９１０の回転をもたらす。このトルク又はモーメントは、スプリング構成要素９８０を第１及び／又は第２のハブ９０７ａ，９０７ｂの周りで収縮させることによりスプリング構成要素９８０と第１及び／又は第２のハブ９０７ａ，９０７ｂとの摩擦係合を増大させ、それにより、第２の方向又は緩め方向でのスプール９１０、第１のハブ９０７ａ、及び／又は、ノブ９０２の回転を防止する。また、スプリング構成要素９８０と第１のハブ９０７ａとの摩擦係合の増大は、第１のハブ９０７ａと第２のハブ９０７ｂとをロックし或いは回転方向で結合し、それにより、第１のハブ９０７ａが第２のハブ９０７ｂに対して回転することを防止する。このように、スプリング構成要素９８０と第１及び第２のハブ９０７ａ，９０７ｂとの係合は、紐に張力を付与して物品を締め付けることができるようにするスプール９１０の一方向回転を可能にする。
【００７８】
[0088]図９Ａ−図９Ｅは、スプラインドライブを介してノブ９０２に取り付けられる第１のハブ９０７ａを示すが、他の実施形態では第１のハブ９０７ａがスプール９１０に直接に取り付けられ或いは結合されてもよいことが理解されるべきである。そのような実施形態において、ノブ９０２は、第２の方向又は緩め方向で、前記方向でのスプール９１０の回転をもたらすことなく回転されてもよい。
【００７９】
[0089]ここで図９Ｆを参照すると、組み付けられたリールアセンブリの平面図及び断面図が示される。図示のように、スプリング構成要素９８０は、第１及び第２のハブ９０７ａ，９０７ｂの周囲に位置され或いは巻き付けられるとともに、組み付けられたリールアセンブリ９００内の中心に位置される。スプリング構成要素９８０と第１及び第２のハブ９０７ａ，９０７ｂとの間の摩擦接触又は摩擦係合は、ハブ及びリールアセンブリ構成要素を所定位置にロックする。解放機構９２０は、環状チャネル９２７が環状リング９３５上にわたって位置された状態でハウジング９５０と結合される。環状チャネル９２７及び環状リング９３５は、リールアセンブリ９００の内部領域に入る場合があり、それにより、スプリング構成要素９８０、第１及び第２のハブ９０７ａ，９０７ｂ、及び／又は、他のリールアセンブリ構成要素を劣化させる又は汚染する場合がある塵埃又は他の残骸を制限する。図９Ｈ及び図９Ｉは、スプリング構成要素９８０が第１のハブ９０７ａ及び第２のハブ９０７ｂの周囲に巻き付けられてこれらのハブと係合された状態の荷重保持機構９０８の詳細図を示す。
【００８０】
[0090]ここで図９Ｇ及び図９Ｌを参照すると、前述したように第２の方向又は緩め方向でのスプール９１０の回転が防止されるロック／係合状態にリールアセンブリを位置させるため、或いは、第２の方向又は緩め方向でのスプール９１０の回転が可能にされるロック解除／離脱状態にリールアセンブリを位置させるために解放機構９２０を使用する動作が示される。リールアセンブリ９００をロック解除／離脱状態に位置させることにより、紐をスプールの中心ポスト又は環状チャネルから繰り出して、紐の張力を緩め、それにより、物品を緩めることができる。
【００８１】
[0091]図９Ｇに示されるように、ハウジング９５０に対する第２の方向（例えば反時計回り方向）でのグリップタブ９２４の回転は、スプリング構成要素９８０の直径をＤからＤ＋Ｘまで増大させ、それにより、前述したようにスプリング構成要素９８０と第１及び第２のハブ９０７ａ，９０７ｂとの摩擦係合を低下させる。スプリング構成要素９８０の直径は、上側スプリングタング９８１が内壁９６０の切り欠き９１４を介して所定位置に保持され或いは維持される一方で下側スプリングタング９８２がタング係合機能部９２８を介して緩め方向に回転されるため、増大される。これらの構成要素の摩擦係合の低下により、スプール９１０が第２の方向又は緩め方向に回転でき、それにより、紐がスプールの中心ポスト又は環状チャネルから繰り出すことができる。
【００８２】
[0092]図９Ｌに示されるように、グリップタブ９２４及び解放機構９２０の第２の方向での回転により、戻り止め９２６は、一方の戻り止め切り欠き９３７との係合が外れて他方の戻り止め切り欠き９３６と係合する状態へと移動する。戻り止め切り欠き９３７は、第１及び第２のハブ９０７ａ，９０７ｂの周囲でスプリング構成要素９８０が収縮されて（すなわち、スプリング構成要素が直径Ｄを有する）第２の方向又は緩め方向でのスプール９１０の回転が防止されるロック／係合状態に解放機構９２０及びスプリング構成要素９８０を保持する或いは維持する。戻り止め切り欠き９３６は、スプリング構成要素９８０と第１及び第２のハブ９０７ａ，９０７ｂとの摩擦係合が低下されて（すなわち、スプリング構成要素が直径Ｄ＋Ｘを有する）第２の方向又は緩め方向でのスプール９１０の回転が可能にされるロック解除／離脱状態に解放機構９２０及びスプリング構成要素９８０を保持する或いは維持する。解放機構９２０及びスプリング構成要素９８０がロック解除／離脱状態にあると、スプール９１０は、スプールの中心ポスト又は環状チャネル９１８の周囲から紐を繰り出すためにハウジングの内部領域内で自由に回転できる。
【００８３】
[0093]図９Ｊ及び図９Ｋは、紐又は引張部材がリールアセンブリ、具体的にはリールアセンブリのノブ９０２及びスプール９１０と結合されていることを示している。図９Ｊの断面図に示されるように、ノブのルーメン９０３は、軸方向上方に延びる第１のルーメン９０３ｂと、ノブ９０２を貫いて斜め下方に延びる第２のテーパ状ルーメン９０３ａとを含む。図９Ｋに示されるように、ハウジングのルーメン９５２がノブのルーメン９０３、具体的には第１のルーメン９０３ｂと位置合わせされてもよい。位置合わせされると、ハウジングのルーメン９５２は、紐９９０を上方に方向付けて第１のルーメン９０３ｂに通す。ルーメンは、その後、軸方向上方へとノブ９０２の上面よりも上側に引き出されて、第２のテーパ状ルーメン９０３ａに挿通されてもよい。その後、紐９９０の端部に結び目９９１が結ばれるとともに、紐が第２のテーパ状ルーメン９０３ａに引き込んで通されてもよい。紐９９０を第２のテーパ状ルーメン９０３ａに引き込んで通すことにより、結び目９９１が第２のテーパ状ルーメン９０３ａのテーパ部と係合し、それにより、ルーメン９０３ａを通じた紐９９０の完全な引き込みが防止されてもよい。結び目９９１と第２のテーパ状ルーメン９０３ａとの係合は、紐９９０とノブ９０２とスプール９１０との結合をもたらす。図９Ｋに示されるように、前述の紐取り付けプロセスは、リールアセンブリの構成要素の分解を伴うことなく行われる。むしろ、紐９９０の挿入及び結び目９９１を結ぶ以外の必要とされるかもしれない唯一のステップは、ハウジングのルーメン９５２とノブのルーメン９０３との位置合わせである。
【００８４】
[0094]ここで図９Ｍ−図９Ｒを参照すると、リールアセンブリ機構９００ｂの他の実施形態が示される。リールアセンブリ９００ｂは、該リールアセンブリ９００ｂが紐張力の漸増的な解放又は弛緩を可能にすること、及び、ハウジング９５０ａがスプール９１０及び／又は他の構成要素を完全に或いは殆ど収容することを除いて既に説明されたリールアセンブリ９００と類似する。紐張力の漸増的な解放又は弛緩は、先の実施形態の解放機構９２０に取って代わる解放機構９７０によって達成される。図９Ｍ、９Ｎ、及び、図９Ｑに示されるように、解放機構９７０は、リールアセンブリ内でスプリング構成要素９８０と第１及び第２のハブ９０７ａ，９０７ｂとの周囲に位置される円筒状のボス９７４を含む。解放機構９７０の底面はタング開口９７６を含み、該タング開口９７６内にスプリング構成要素９８０の下側タング９８２が位置される。第１の方向又は締め付け方向でのノブ９０２の回転は、既に説明したようにスプリング構成要素９８０と第１のハブ９０７ａ及び／又は第２のハブ９０７ｂとの摩擦係合を低下させて、スプール９１０が第１の方向に回転して紐に張力を付与できるようにする。
【００８５】
[0095]解放機構９７０は、解放機構９７０を第２の方向又は緩め方向に回転させるためにユーザによって握られてもよい回転可能な表面又はリング９７２を含む。第２の方向での解放機構９７０の回転は、下側タング９８２とタング開口９７６との係合によってスプリング構成要素９８０の下部を第２の方向に回転させ、それにより、既に説明したようにスプリング構成要素９８０の直径を増大させることでスプリング構成要素９８０と第２のハブ９０７ｂ及び／又は第１のハブ９０７ａとの摩擦係合を低下させる。スプリング構成要素９８０と第２のハブ９０７ｂとの摩擦係合の低下は、第１のハブ９０７ａのロックを解除し或いは第１のハブ９０７ａを第２のハブ９０７ｂから回転方向で分離し、それにより、第１のハブ９０７ａ及びスプール９１０が紐張力によって第２のハブ９０７ｂに対して回転できるようにする。解放機構９７０の回転が止められると、スプリング構成要素９８０と第２のハブ９０７ｂとの摩擦係合が直ちに増大され、それにより、第１のハブ９０７ａ及び第２のハブ９０７ｂがロックされ或いは回転方向で結合され、第１のハブ９０７ａ及びスプール９１０の第２の方向又は緩め方向での更なる回転が防止される。このようにすると、紐の張力を非常に僅かな量だけ漸増的に緩める或いは解放することができる。幾つかの実施形態において、紐張力は、スプール９１０とノブ９０２との間に、スプール９１０とハウジング９５０との間に、或いは、リールアセンブリ９００ｂの他の構成要素間にクラッチ機構を離脱させる完全解放機構を設けることによって完全に緩められ或いは解放されてもよい。クラッチ機構の離脱は、ノブ９０２の軸方向上方への移動、第２の方向でのノブ９０２の回転、ボタン構成要素又はレバー機構の動作、解放機構の径方向移動等によって達成されてもよい。
【００８６】
[0096]ここで図９Ｓを参照すると、単一ハブ９９５と摩擦係合されるスプリング構成要素９８０の一実施形態が示される。図９Ｓの単一ハブ形態は、前述した第１及び第２のハブ９０７ａ，９０７ｂの代わりに使用されてもよい。そのような実施形態において、下側タング９８２は、リールアセンブリ、例えばフランジ９３０又はハウジング９５０／９５０ａなどと結合固定される。そのような実施形態において、下側タング９８２は、スプリングハブの主荷重保持構成要素又は荷重保持機構として機能する。スプリングハブ機構の動作は、前述の態様と同様の態様で機能する。図９Ｔ及び図９Ｕは、スプリング構成要素９８０が円筒状の外側ハブ９９６の内壁の中に位置される一実施形態を示す。図９Ｔ及び図９Ｕの実施形態も同様に前述の第１及び第２のハブ形態に取って代わるべく使用されてもよい  スプリング構成要素９８０は、内側構成要素９９７及び取り付けられたスプール９９７の回転を防止するために径方向外側に屈曲して内側円筒壁９９６と係合する。図９Ｕに示されるように、内側構成要素９９７の締め付け方向の回転は、スプリング構成要素９８０を内側円筒壁９９６との係合から外れるように収縮させ、これは、内側構成要素９９７及び取り付けられたスプール（図示せず）の回転を可能にする。内側構成要素９９７の第２の反対方向の回転、又は、内側構成要素９９７の第１の方向の回転の中断は、スプリング構成要素９８０を円筒ハブ９９６の内壁と再び摩擦係合させる。
【００８７】
[0097]図９Ａ−図９Ｒのリールアセンブリ９００，９００ｂはベース部材又はフランジ９３０に取り付けられ或いは一体化されたハウジング９５０／９５０ａを示すが、他の実施形態ではハウジング９５０／９５０ａがフランジを含む別個のベース部材と取り外し可能に結合されてもよいことが理解されるべきである。例えば、図１４Ａ及び図１４Ｂに示されるベース部材又はバヨネット及び解放機構は、ハウジング９５０／９５０ａをフランジ９３０と取り外し可能に結合させるために使用され得る。
【００８８】
[0098]一実施形態において、リール式機構を用いて靴を組み付けるための方法は、ベース部材と、内部領域を有するハウジングと、ハウジングの内部領域内に位置されるスプールと、ノブ部材と、荷重保持機構とを含むリールを用意することを含む。本明細書中で前述したように、スプールは中心ポストを含み、該中心ポストの周囲に引張部材が巻回され、また、スプールは、ハウジング及び／又はベース部材に対して回転できる。ノブ部材は、スプールと結合されるとともに、引張部材をスプールの中心ポストの周囲に巻回するためにスプールをハウジングの内部領域内で第１の方向に回転させるように構成される。荷重保持機構は、スプール及びハウジングと結合されるとともに、第１の方向とは反対の第２の方向でのスプールの回転を防止してスプールの中心ポストからの引張部材の繰り出しを防止するべく摩擦係合可能な第１の摩擦要素及び第２の摩擦要素を含む。ノブ部材の第１の方向の回転は、第１の摩擦要素と第２の摩擦要素との摩擦係合を低下させて、スプールの第１の方向の回転を可能にし、また、引張部材又は紐の張力は、荷重保持機構を第２の方向に回転させるように付勢し、それにより、第１の摩擦構成要素と第２の摩擦構成要素との摩擦係合を増大させる。また、方法は、ベース部材を物品と結合するステップも含む。
【００８９】
[0099]ここで図１０Ａ−図１０Ｇを参照すると、比較的動作が静かであるとともに偶発的な開放に対する安全装置を備えるリールアセンブリ１０００の他の実施形態が示される。リールアセンブリ１０００の静かな動作をもたらすために、複数のロック構成要素１０１０がノブ１００２と上側ハウジング１０３０との間に位置される。各ロック構成要素１０１０は、本体１０１２と、結合構成要素１０２０の開口１０２２内に位置される突出部１０１６とを含む。突出部１０１６は、ロック構成要素１０１０が結合構成要素１０２０のカム壁１０２４間で回動できるようにする。各ロック構成要素１０１０の本体１０１２は、本体１０１２の両側に位置される一対のカム面１０１３及び一対の半径面１０１５を含む。
【００９０】
[0100]また、各ロック構成要素１０１０は、本体１０１２から軸方向上方に延びる突出部１０１４も含む。スプリング構成要素１００４がロック構成要素１０１０とノブ１００２との間に位置される。スプリング構成要素１００４は複数の片持ちアームを含み、片持ちアームはそれぞれ、突出部１０１４が片持ちアームとスプリング構成要素１００４の中心リング部との間に位置されるようにロック構成要素１０１０の突出部１０１４を越えて向こう側に位置される。スプリング構成要素１００４の片持ちアームは、ロック構成要素１０１０を後述するロック位置へ向けて内側に付勢する。
【００９１】
[0101]上側ハウジング１０３０は、内面１０３３と、複数の内側に延びる壁１０３６とを含む。結合構成要素１０２０は、内側に延びる壁１０３６とほぼ同じ面上に各本体１０１２が位置されるように上側ハウジング１０３０の中心凹部内に位置される。ベース構成要素１０４０の中心ボス１０４２は、該中心ボス１０４２が複数のロック構成要素１０１０間の中心に位置されるように上側ハウジング１０３０及び結合構成要素１０２０の開口を貫通して軸方向上方に延びる。また、上側ハウジング１０３０は、上側ハウジング１０３０の本体から軸方向外側に延びる複数のフランジ状部材１０３４を含んでもよい。図１０Ｂに示されるように、ノブ１００２は、ノブ１００２の底面から軸方向下方に延びる複数の楔状部材又はカム部材１００８を含む。以下で更に詳しく説明されるように、楔状部材１００８は、ロック位置とロック解除位置との間でロック構成要素１０１０を回動させるようにロック構成要素１０１０と接触する。また、ノブ１００２は、ノブ１００２の底面から軸方向下方に延びる複数のハンギングボス１００６も含む。ハンギングボス１００６は、上側ハウジング１０３０の対応するスロット１０３８に挿通されるように構成される。上側ハウジング１０３０の軸方向下方にはスプール１０３２が位置され、該スプールの周りにはリールアセンブリ１０００の動作によって紐が巻回される。
【００９２】
[0102}]図１０Ｃは、ノブ１００２の上部が除去された状態の組み付け形態でリールアセンブリ１０００の構成要素を示す。図１０Ｃに示されるように、組み付け形態において、各本体１０１２は、内側に延びる壁１０３６及びベース構成要素１０４０の中心ボス１０４２とほぼ同じ面上に或いはそれに隣接して位置される。各本体１０１２は一対のカム壁１０２４間に位置され、また、楔状部材１００８は各本体１０１２に隣接して位置される。
【００９３】
[0103]図１０Ｄ及び図１０Ｅに示されるように、リールアセンブリ１０００の動作時、ロック構成要素１０１０、具体的には、各本体１０１２は、上側ハウジング１０３０内においてカム壁１０２４間で回動して、内面１０３３又は内側に延びる壁１０３６と係合し、それにより、スプール１０３２を駆動させ或いはスプール１０３２及び紐の逆巻回を防止するべくリールアセンブリ１０００をロックする。図１０Ｄに示されるように、スプール１０３２を駆動させて紐を締め付ける或いは紐に張力を付与するために、ノブ１００２がユーザによって締め付け方向に回転される。この方向でのノブ１００２の回転は、楔状部材１００８を本体１０１２と接触させ、それにより、外側半径面１０１５ａが内側ハウジング１０３３と接触するまで半径面１０１５ａ−１０１５ｂを上側ハウジング１０３０内で回動させる（例えば時計回り方向）。外側半径面１０１５ａと内側ハウジング１０３３との間の接触は、上側ハウジング１０３０をノブ１００２と共にロックして、上側ハウジング１０３０をノブ１００２と共に回転させ、それにより、スプール１０３２を駆動させて、紐をスプール１０３２の周囲に巻回する。図１０Ｄに示されるように、内側半径面１０１５ｂは中心ボス１０４２と接触せず、したがって、上側ハウジング１０３０及びスプール１０３２は、中心ボス１０４２及びベース構成要素１０４０の周りで回転できる。他の実施形態では、内側半径面１０１５ｂが中心ボス１０４２と接触するが、面１０１５ｂの半径は、上側ハウジング１０３０及びスプール１０３２を拘束する又はロックすることなく面１０１５ｂが中心ボス１０４２の表面に沿ってスライドできるようにしてもよい。図示しないが、多くの実施形態において、ベース構成要素１０４０は、スプール１０３２と該スプールに巻回される任意の紐とを収容するように機能する軸方向上方に延びる壁を含む。
【００９４】
[0104]図１０Ｅに示されるように、ノブ１００２が緩め方向に解放される或いは回転されるにつれて、本体１０１２は、カム面１０１３ａ−１０１３ｂが内側に延びる壁１０３６とベース構成要素１０４０の中心ボス１０４２とに接触してこれらの間に挟まれるまで上側ハウジング１０３０内で反対方向（例えば反時計回り方向）に回動する。具体的には、外側カム面１０１３ａが内側に延びる壁１０３６と接触し、一方、内側カム面１０１３ｂが中心ボス１０４２と接触する。カム面１０１３ａ−１０１３ｂが内側に延びる壁１０３６と中心ボス１０４２との間に挟まれた状態で、リールアセンブリ１０００は、靴又は他の衣服と結合固定されるベース構成要素１０４０の周りでロックされる。簡単に前述したように、スプリング構成要素１００４は、本体１０１２を図１０Ｅに示されるロック形態へ向けて付勢する或いは回動するために使用されてもよい。また、紐に作用する張力により、スプール１０３２が上側ハウジング１０３０の緩め方向の回転をもたらし、それにより、カム面１０１３ａ−１０１３ｂが内側に延びる壁１０３６と中心ボス１０４２との間に挟まる。
【００９５】
[0105]リールアセンブリ１０００を開放形態に配置するために、（例えば、フランジ状部材１０３４を握ることによって）上側ハウジング１０３０が締め付け方向に回転されてもよく、それにより、内側に延びる壁１０３６が本体１０１２を離脱位置へと回転させる。例えば、内側に延びる壁１０３６は、内側カム面１０１３ｂを中心ボス１０４２との接触状態へと回転させることなく外側半径面１０１５ａを内壁１０３３との離脱状態から回転させてもよい。同時に、ノブ１００２を緩め方向に回転して、楔状部材１００８を本体１０１２の反対側の側面に接触させ、それにより、本体１０１２を固定された離脱位置において内側に延びる壁１０３６と楔状部材１００８との間で挟む或いは保持してもよい。ノブ１００２の外周縁に位置されるハンギングボス１００６は、ノブ１００２及び上側ハウジング１０３０を反対方向に回転させることによって上側ハウジング１０３０の凹部１０３７内にキー止めしてもよく、それにより、更なるユーザ入力を伴うことなく本体を離脱位置に保持する又は維持することができる。本体１０１２を再び係合させるために、ハンギングボス１００６を凹部１０３７から離脱させるべくノブ１００２及び上側ハウジング１０３０が締め付け方向及び緩め方向にそれぞれ回転される。リールアセンブリ１０００は、該リールアセンブリ１０００を開放形態に配置するためにこれらの２つの構成要素（すなわち、ノブ１００２及び上側ハウジング１０３０）の反対方向の回転を必要とすることによって偶発的な開放に対する安全装置を与える。
【００９６】
[0106]図１０Ｆ及び図１０Ｇは、リールアセンブリ１０００の構成要素の組み付けの僅かな変形を示す。図１０Ｆに示されるように、駆動動作モード又は張力付与動作モードにおいて、内側に延びる壁１０３６は、外側カム面１０１３ａと接触して、本体１０１２、具体的には内側カム面１０１３ｂを楔状部材１００８との係合状態へと回動させる。これにより、本体１０１２は、内側に延びる壁１０３６と楔状部材１００８との間に挟まれ、それにより、上側ハウジング１０３０をノブ１００２に対してロックするとともに、ノブ１００２を介した上側ハウジング１０３０及びスプール１０３２の回転を可能にする。ノブ１００２が解放される或いは逆回転されると、楔状部材１００８は、本体１０１２、具体的には外側半径面１０１５ａを上側ハウジング１０３０の内面１０３３との係合状態へと回動させ、その間に、内側半径面１０１５ｂは、ベース構成要素１０４０の中心ボス１０４２との接触状態へと回動する。これは、本体１０１２を内側ハウジング１０３３と中心ボス１０４２との間に挟むとともに、リールアセンブリ構成要素を、靴又は衣服に結合固定されるベース構成要素１０４０に対してロックする或いは固定する。
【００９７】
[0107]ここで図１１Ａ−図１１Ｅを参照すると、比較的動作が静かであるリールアセンブリ１１００の他の実施形態が示される。図１１Ａ及び図１１Ｂは、リールアセンブリ１１００の分解斜視図を示す。リールアセンブリ１１００は、駆動構成要素１１１０を駆動させるために使用される幾何学的開口１１０４を有するノブ１１０２を含む。駆動構成要素１１１０は、ノブ１１０２の回転が駆動構成要素１１１０の回転を引き起こすようにノブ１１０２の幾何学的開口１１０４に対応する幾何学的形状を有する上端部材を含む。駆動構成要素１１１０の軸方向下方には、偏心して位置される入力シャフト１１１４が位置される。つまり、入力シャフト１１１４は、駆動構成要素１１１０及びノブ１１０２の軸からオフセットされる軸を有する。
【００９８】
[0108]入力シャフト１１１２は、下側ノブ１１２０の内部領域内へと軸方向に延びて、サイクロイドギア又はサイクロイドディスク１１３０の入力開口１１３５と係合する。サイクロイドディスク又はサイクロイドギア１１３０は、下側ノブ１１２０の内部領域内及び回転制御構成要素１１５０内に位置される。サイクロイドギア１１３０は、ピニオンギア面１１３３（以下、ピニオンギア１１３３）が環状ギア１１５２と係合されるように回転制御構成要素１１５０内に位置される。図１１Ｃに示されるように、ノブ１１０２の回転により、入力シャフト１１１４は、回転制御構成要素１１５０の環状ギア１１５２内で入力開口１１３５を介してピニオンギア１１３３を回転させる。
【００９９】
[0109]また、サイクロイドギア１１３０は、ピニオンギア１１３３よりも軸方向下方に位置されるディスク１１３２も含む。ディスク１１３２は複数の開口１１３４を含み、該開口内にはスプール１１４０のボス１１４２が挿入される。ボス１１４２は、ピニオンギア１１３３が回転制御構成要素１１５０の環状ギア１１５２内で移動するにつれてディスク１１３２の開口１１３４内でスライドし、それにより、回転力をスプール１１４０に伝えてスプール１１４０の回転をもたらす或いは引き起こす。スプール１１４０はチャネル１１４４を含み、リールアセンブリ１１００が動作される際にチャネル１１４４内に紐が巻回される。スプール１１４０の逆回転（すなわち、緩め方向の回転）を防止するために、回転制御構成要素１１５０が前述したようなハウジング１１６０と結合される。具体的には、ハウジング１１６０の片持ちアーム１１６２は、回転制御構成要素１１５０のストッパ構成要素１１５４と接触して係合するように構成される。また、ハウジング１１６０は、例えばハウジング１１６０の軸方向に延びる脚１１６４をベース部材１１７０の装着開口１１７２内に位置させることによってベース部材１１７０と結合固定される。ベース部材１１７０は、ベース部材を物品又は靴と結合させることができるようにするフランジ１１７４を含む。
【０１００】
[0110]図１１Ｅに示されるように、紐を緩めるために、下側ノブ１１２０は、グリップ部材１１２４を介して第２の方向又は緩め方向に回転され、それにより、下側ノブ１１２０のカム面１１２２は、片持ちアーム１１６２の先端と係合して、アーム１１６２を径方向外側に移動させ、アーム１１６２とストッパ構成要素１１５４とを図示のように離脱させる。これにより、回転制御構成要素１１５０、スプール１１４０、サイクロイドギア１１３０、及び、ノブ１１０２は、ハウジング１１６０及びベース部材１１７０に対して回転でき、それにより、スプール１１４０のチャネル１１４４から紐が繰り出される。サイクロイドギア１１３０の形態は約４：１のギア比を与えてもよいが、他のギア比が望み通りに得られてもよい。
【０１０１】
[0111]図１１Ｃは、ピニオンギア１１３３が環状ギア１１５２内で回転するにつれてディスク１１３２の開口１１３４のうちの１つ（すなわち、斜線を施した開口）、がスプール１１４０のボス１１４２のうちの１つ（すなわち、斜線を施したボス）を駆動することを示す。スプール１１４０は、ピニオンギア１１３３の方向とは反対の方向に回転する。図１１Ｄは、リールアセンブリ１１００の組み付けられた構成要素の断面図を示す。
【０１０２】
[0112]ここで図１２Ａ−図１２Ｄを参照すると、比較的動作が静かであるとともに偶発的な開放に対する安全装置を備えるリールアセンブリ１２００の他の実施形態が示される。図１２Ａ及び図１２Ｂは、リールアセンブリ１２００の構成要素の分解斜視図を示す。リールアセンブリ１２００は、紐に張力を付与する及び／又は紐を緩める、及び／又は、リールアセンブリ１２００を開放形態でロックするためにユーザによって回転されてもよい上側ノブ１２０２及び下側ノブ１２１０を含む。上側ノブ１２０２は、下側ノブ１２１０の長方形開口１２１６内に挿入される複数のシャフト１２０４を含む。下側ノブ１２１０は、それぞれが開口１２１４を有する一対のカム１２１２を含み、開口１２１４内にはスプール１２５０のボス１２５２が挿入される。
【０１０３】
[0113]リールアセンブリ１２００は、スプリング部材１２２６を介して互いに結合される一対の周方向に延びるアーム１２２２を有するブレーキシュー１２２０を含む。下側ノブ１２１０のカム１２１２は、それぞれの周方向に延びるアーム１２２２の内側領域内に位置される。また、ブレーキシュー１２２０はハブ１２３０内に挿入され、このハブ１２３０はハウジング１２４０内に位置される。図１２Ｃに示されるように、下側ノブ１２１０が締め付け方向又は張力付与方向に回転されるにつれて、カム１２１２の荷重支持面が周方向に延びるアーム１２２２の切り欠き１２２４内に位置される。カム１２１２の形状は、下側ノブ１２１０の張力付与方向の回転がカム１２１２の荷重支持面をアーム１２２２の切り欠き１２２４内に保持するように周方向に延びるアーム１２２２の内面に適合する。下側ノブ１２１０の回転力は、ボス１２５２と開口１２１４との間の接触を介してスプール１２５０へ伝えられる。
【０１０４】
[0114]図１２Ｄに示されるように、下側ノブ１２１０が緩め方向に解放される及び／又は回転されるにつれて、カム１２１２の荷重支持面は、アーム１２２２の切り欠き１２２４から移動して、アーム１２２２の内面を押圧する。これは、アーム１２２２の外面をハブ１２３０と摩擦係合させ、それにより、スプール１２５０及びリールアセンブリ１２００の他の構成要素の回転動作を防止する又は阻む。下側ノブ１２１０及び／又はスプール１２５０が緩め方向に引き続き回転すると、アーム１２２２の外面とハブ１２３０との摩擦係合が増大する。ブレーキシュー１２２０のスプリング部材１２２６がアーム１２２２を軸方向内側に付勢し、それにより、下側ノブ１２１０のその後の締め付け方向又は張力付与方向の回転は、カム１２１２の荷重支持面を切り欠き１２２４内に再配置させるとともに、アーム１２２２を軸方向内側に撓ませてハブ１２３０との摩擦係合から外す。
【０１０５】
[0115]リールアセンブリ１２００を開放形態でロックするために、下側ノブ１２１０が締め付け方向に回転される一方で、上側ノブ１２０２が同時に緩め方向（すなわち、反対方向）に回転される。この作用により、上側ノブ１２０２のシャフト１２０４がアーム１２２２の傾斜部１２２８を上方へスライドさせ、それにより、アーム１２２２が径方向内側に押圧されてハブ１２３０との摩擦係合から外れる。シャフト１２０４は、アーム１２２２をハブ１２３０からの離脱形態に保ち、それにより、紐張力を完全に解放できるようにするために、ブレーキシュー１２２０の周りでロックされてもよい。したがって、リールアセンブリ１２００は、紐を完全に緩めるために下側ノブ１２１０及び上側ノブ１２０２の反対方向の回転を必要とすることによって偶発的な開放に対する安全装置を与える。
【０１０６】
[0116]ここで図１３Ａ−図１３Ｆを参照すると、比較的動作が静かであるとともに偶発的な開放に対する安全装置を備えるリールアセンブリ１３００の他の実施形態が示される。図１３Ａ及び図１３Ｂは、リールアセンブリ１３００の分解斜視図を示す。図示のように、リールアセンブリ１３００は上側ノブ１３０２と下側ノブ１３１０とを含む。上側ノブ１３０２は、軸方向下方に延びるとともにスプール１３４０の回転をもたらす或いは引き起こすために使用される一対のボス１３０４を含む。下側ディスク１３１０は、カム又は傾斜面１３１２と、紐を完全に緩めることができるようにするべくリールアセンブリ１３００を開放形態でロックするように機能する切り欠き１３１４とを有する幾何学的開口を含む。
【０１０７】
[0117]また、リールアセンブリ１３００は、リールアセンブリ１３００を所定位置でロックして、スプール１３４０の逆回転を防止する、つまり、スプール１３４０の緩め方向の回転を防止するために使用されるギア機構１３２０も含む。ギア機構１３２０は、スプール１３４０のボス１３４６と結合する開口を基端に有するとともに、ギア機構１３２０のギア１３２２のうちの１つ（すなわち、フローティングギア１３２２ｂ）の開口内に挿入されるピンを先端に有する一対の回動アーム１３２４を含む。ギア機構１３２０のギア１３２２は、ハウジング１３３０の歯１３３２と接触するようにハウジング１３３０内に位置される。以下で更に詳しく説明するように、ギア機構１３２０のギア１３２２は、フローティングギア１３２２ｂと固定ギア１３２２ａとを含む。スプール１３４０は、一対の弓形面を有する中心突出部１３４４を含み、リールアセンブリ１３００が紐に張力を付与する或いは紐を締め付けるように動作されるにつれてギア機構１３２０のフローティングギアが中心突出部１３４４の周りに置かれる。また、スプール１３４０は本体又はチャネル１３４２も含み、リールアセンブリ１３００の動作中にチャネル１３４２内に或いはチャネル１３４２の周囲に紐が巻回される。
【０１０８】
[0118]図１３Ｃは、リールアセンブリ１３００が紐に張力を付与する或いは紐を締め付けるように動作されているときのリールアセンブリ１３００の構成要素の組み付けを示す。図示のように、上側ノブ１３０２が締め付け方向に回転されるにつれて、一対のボス１３０４は、スプール１３４０を駆動させるべく中心突出部１３４４の後面と接触して該後面を押圧する。ボス１３０４が中心突出部１３４４及びスプール１３４０を駆動させるにつれて、ギア機構１３２０のフローティングギア１３２２ｂが中心突出部１３４４の弓形面に当接する。ギア機構１３２０のフローティングギア１３２２ｂ及び固定ギア１３２２ａの歯間の相互作用は、アーム１３２４を介してフローティングギア１３２２ｂを回動させて中心突出部１３４４の弓形面と接触させる。固定ギア１３２２ａの回転は、固定ギア１３２２ａの歯とハウジング１３３０の歯１３３２との間の相互作用によって引き起こされる。この形態では、紐に張力を付与するべく上側ノブ１３０２が望み通りに回転されてもよい。
【０１０９】
[0119]図１３Ｄは、上側ノブ１３０２が解放された後又は上側ノブ１３０２が緩め方向に回転される際のリールアセンブリ１３００の構成要素の組み付けを示す。図示のように、上側ノブ１３０２の緩め方向の回転により、フローティングギア１３２２ｂは、中心突出部１３４４の弓形面との係合又は接触から外れるように回動し、ハウジング１３３０の歯１３３２と噛み合う。締め付け方向とは反対の方向での固定ギア１３２２ａの回転と、フローティングギア１３２２ｂ及び固定ギア１３２２ａの歯間の相互作用とにより、フローティングギア１３２２ｂは、アーム１３２４を介して回動して、中心突出部１３４４の弓形面との接触から外れ、ハウジング１３３０の歯１３３２と噛み合う。前述したように、固定ギア１３２２ａの回転は、固定ギア１３２２ａとハウジング１３３０の歯１３３２との間の相互作用によって引き起こされる。固定ギア１３２２ａ及びフローティングギア１３２２ｂが反対方向に回転するため、固定ギア１３２２ａ及びフローティングギア１３２２ｂとハウジング１３３０の歯１３３２との噛み合いがギア１３２２ａ，１３２２ｂをハウジング１３３０の歯１３３２と結合させ、それにより、上側ノブ１３０２及びスプール１３４０の更なる回転を防止する。前述のギア結合プロセスは、上側ノブ１３０２が解放されて紐張力がスプール１３４０の緩め方向の回転をもたらす或いは引き起こすときにも起こる。このようにして、リールアセンブリ１３００は、紐の更なる緩みを防止するためにロックされる。
【０１１０】
[0120]簡単に前述したように、下側ノブ１３１０は、紐張力を完全に解放できる開放形態でリールアセンブリ１３００をロックし且つ開放形態からロック解除するように動作されてもよい。図１３Ｅは、紐に張力を付与するべく上側ノブ１３０２が回転できるとともにギア機構１３２０の結合によってリールアセンブリ１３００をロック可能であるロック解除形態にある下側ノブ１３１０を示す。図１３Ｅに示されるように、下側ノブ１３１０は、アーム１３２４の軸方向上方に延びるピン１３２６が下側ノブ１３１０の幾何学的開口の切り欠き１３１４から離間して位置されるように回転される。ピン１３２６が切り欠き１３１４から離間して位置された状態では、フローティングギア１３２２ｂは、リールアセンブリ１３００の張力付与及びロックを可能にするために前述したように中心突出部１３４４の弓形面と係合する状態及び弓形面との係合が外れる状態へと回動できる。
【０１１１】
[0121]図１３Ｆに示されるように、下側ノブ１３１０は、アーム１３２４のピン１３２６が幾何学的開口のカム面又は傾斜面１３１２に沿って切り欠き１３１４内へとスライドするようにギア機構１３２０に対して回転されてもよい。ピン１３２６が切り欠き１３１４内に位置された状態では、フローティングギア１３２２ｂは、上側ノブ１３０２が緩め方向に解放される又は回転される際に中心突出部１３４４の弓形面との係合が外れるように回動することが防止される。この形態では、フローティングギア１３２２ｂがハウジング１３３０の歯１３３２と係合することができず、したがって、ギア機構１３２０は、前述したようにスプール１３４０及びリールアセンブリ１３００を結合してロックすることができない。この形態では、紐張力を完全に解放できる。下側ノブ１３１０は、ピン１３２６を切り欠き１３１４から離間させるようにスライドさせ、それにより、リールアセンブリ１３００を”ロック解除する”べく反対方向に回転されてもよい。
【０１１２】
[0122]下側ノブ１３１０を用いてリールアセンブリ１３００をロックするために、下側ノブ１３１０は、一般に、上側ノブ１３０２の方向とは反対の方向に回転される。例えば、上側ノブ１３０２が一般に締め付け方向に回転される一方で、下側ノブ１３１０は緩め方向に回転される。したがって、リールアセンブリ１３００は、紐を完全に緩めるために下側ノブ１３１０及び上側ノブ１３０２の反対方向の回転を必要とすることによって偶発的な開放に対する安全装置を与える。
【０１１３】
[0123]ここで図１４Ａ及び図１４Ｂを参照すると、構成要素を靴などの物品に解放可能に取り付けるための機構１４００が示される。機構１４００は、物品に取り付け可能なベース部材１４０２を含む。ベース部材１４０２は、ベース部材１４０２の外周全体にわたって或いはその一部にわたってベース部材１４０２の下端から径方向に延びるフランジ１４０４を含む。また、ベース部材１４０２は、構成要素１４３０（例えば、リールアセンブリハウジング）の下端を内部に挿入できる内側キャビティ又は開口１４０６も含む。ベース部材１４０２の内側キャビティ又は開口１４０６内にはチャネル１４０８が形成され或いは配置され、また、スプリング構成要素１４１０がチャネル１４０８内に位置される。スプリング構成要素１４１０は、構成要素１４３０が内側キャビティ又は開口１４０６内に挿入されるときに構成要素１４３０の下端の周囲で径方向に撓むように構成される。具体的には、スプリング構成要素１４１０は、構成要素１４３０の下端が内側キャビティ又は開口１４０６内に挿入されるときに径方向外側に撓み、その後、スプリング構成要素１４１０は、図１４Ｂの断面図に示されるようにベース部材１４０２の内側キャビティ又は開口１４０６内に構成要素１４３０の下端をロックするべく所定位置へと跳ね戻る或いは曲げ戻る。スプリング構成要素１４１０は、構成要素１４３０が軸方向に引き上げられるときに径方向外側に曲がることによって構成要素１４３０の下端を内側キャビティ又は開口１４０６から取り外すことができるようにする。したがって、スプリング構成要素１４１０は、構成要素１４３０をベース部材１４０２と解放可能に結合させることができるようにする。
【０１１４】
[0124]幾つかの実施形態では、内側キャビティ又は開口１４０６のチャネル１４０８が環状チャネルであり、該環状チャネル内で、スプリング構成要素１４１０は、構成要素１４３０の下端が内側キャビティ又は開口１４０６内に挿入されるときに径方向に撓む。そのような実施形態において、スプリング構成要素１４１０は、径方向の撓み時に拡大する内径を有するスプリットリングスプリングであってもよい。幾つかの実施形態において、スプリットリングスプリング１４１０の内径の拡大は、内側キャビティ又は開口１４０６の環状チャネル１４０８によって抑制されてもよい。そのような実施形態において、構成要素１４３０の下端の外径Ｄは、環状チャネル１４０８によって許容されるスプリットリングスプリング１４１０の最大内径Ｗより大きくてもよく、そのため、ベース部材１４０２又は構成要素１４３０の下端は、ベース部材の内側キャビティ又は開口１４０６内への構成要素１４３０の下端の挿入を可能にするべく径方向外側に屈曲してもよい。具体的には、構成要素１４３０の拡大した下端がベース部材の内側キャビティ又は開口１４０６内に挿入されるときにベース部材１４０２の環状突出部１４０７が弾性的に屈曲し或いは撓んでもよい。内側キャビティ又は開口１４０６内への構成要素１４３０の挿入中にベース部材１４０２（例えば、環状突出部１４０７）及び／又は構成要素１４３０の下端が屈曲するため、２つの構成要素の結合が大きく高められ、それにより、前記構成要素を分離するためにかなり大きな力を要する。したがって、構成要素１４３０は、ベース部材１４０２から外れることなく外部物体から大きな力を受けることができる。
【０１１５】
[0125]幾つかの実施形態において、構成要素１４３０の下端は、スプリング構成要素１４１０が内部に位置される環状チャネル１４３２を含む。他の実施形態では、構成要素１４３０の下端が複数のロックタブ又は径方向に延びる部材を含み、該部材の周囲で、スプリング構成要素１４１０は、構成要素１４３０の下端を内側キャビティ又は開口１４０６内にロックするべく屈曲する。幾つかの実施形態において、スプリング構成要素１４１０は、スプリットリングスプリングではなく、馬蹄形スプリング、クローバスプリング、閉ループスプリング等であってもよい。
【０１１６】
[0126]１つの実施形態によれば、構成要素を物品に対して解放可能に取り付けるための方法は、内側キャビティ又は開口と、内側キャビティ又は開口内に配置されるチャネルと、チャネル内に位置されるスプリング構成要素とを含むベース部材を用意することを含む。また、方法は、ベース部材を物品に取り付けるステップと、スプリング構成要素が構成要素の下端の周囲で径方向に撓むことにより構成要素の下端をベース部材の内側キャビティ又は開口内にロックするように構成要素の下端を内側キャビティ又は開口内に挿入するステップとを含む。幾つかの実施形態において、ベース部材を物品に取り付けるステップは、ベース部材のフランジを物品に結合するステップを含む。
【０１１７】
[0127]幾つかの実施形態を説明してきたが、当業者であれば分かるように、本発明の思想から逸脱することなく様々な変更、代わりの構成、及び、等価物が使用されてもよい。また、本発明を不必要に曖昧にするのを避けるために、多くの良く知られたプロセス及び要素については説明しなかった。したがって、先の説明は、本発明の範囲を限定するものと解釈されるべきでない。
【０１１８】
[0128]値の範囲が与えられる場合、文脈が別段に明確に指示しなければ、その範囲の上限と下限との間に介在するそれぞれの値も、下限の単位の１／１０まで、具体的に開示される。述べられた任意の値又は述べられた範囲内に介在する値と任意の他の述べられた或いはその述べられた範囲内に介在する値との間の更に小さいそれぞれの範囲も含まれる。これらの更に小さい範囲の上限及び下限は、その範囲内に独立して含まれ或いは排除されてもよく、また、この更に小さい範囲内にあって限界値のいずれかが含まれる、いずれも含まれない、或いは、いずれも含まれるそれぞれの範囲も、述べられた範囲内の任意の特に排除された限界値の制約下で、本発明の範囲内に包含される。述べられた範囲が限界値の一方又は両方を含む場合には、それらの含まれた限界値のいずれか一方又は両方を排除する範囲も含まれる。
【０１１９】
[0129]本明細書中及び添付の特許請求の範囲で使用される単数形“１つの（ａ）”、“１つの（ａｎ）”、及び、“その（ｔｈｅ）”は、文脈が別段に明確に指示しなければ、複数形の指示対象を含む。したがって、例えば、“１つのプロセス”への言及は、複数のそのようなプロセスを含み、また、”その装置”への言及は、１つ以上の装置及び当業者に知られるその等価物等への言及を含む。
【０１２０】
[0130]また、用語“備える”、“備えている”、“含む（ｉｎｃｌｕｄｅ）”、“含んでいる”、及び、“含む（ｉｎｃｌｕｄｅｓ）”は、この明細書中及び以下の特許請求の範囲で使用される場合、述べられた特徴、整数、構成要素、又は、ステップの存在を特定するように意図されるが、それらは、１つ以上の他の特徴、整数、構成要素、ステップ、行為、又は、グループの存在又は付加を排除しない。
【図１】
2020097491.tif 000003
【図２】
2020097491.tif 000004
【図３】
2020097491.tif 000005
【図４】
2020097491.tif 000006
【図５Ａ】
2020097491.tif 000007
【図５Ｂ】
2020097491.tif 000008
【図５Ｃ】
2020097491.tif 000009
【図５Ｄ】
2020097491.tif 000010
【図５Ｅ】
2020097491.tif 000011
【図５Ｆ】
2020097491.tif 000012
【図５Ｇ】
2020097491.tif 000013
【図６Ａ】
2020097491.tif 000014
【図６Ｂ】
2020097491.tif 000015
【図６Ｃ】
2020097491.tif 000016
【図６Ｄ】
2020097491.tif 000017
【図７Ａ】
2020097491.tif 000018
【図７Ｂ】
2020097491.tif 000019
【図８Ａ】
2020097491.tif 000020
【図８Ｂ】
2020097491.tif 000021
【図８Ｃ】
2020097491.tif 000022
【図８Ｄ】
2020097491.tif 000023
【図８Ｅ】
2020097491.tif 000024
【図８Ｆ】
2020097491.tif 000025
【図９Ａ】
2020097491.tif 000026
【図９Ｂ】
2020097491.tif 000027
【図９Ｃ】
2020097491.tif 000028
【図９Ｄ】
2020097491.tif 000029
【図９Ｅ】
2020097491.tif 000030
【図９Ｆ】
2020097491.tif 000031
【図９Ｇ】
2020097491.tif 000032
【図９Ｈ】
2020097491.tif 000033
【図９Ｉ】
2020097491.tif 000034
【図９Ｊ】
2020097491.tif 000035
【図９Ｋ】
2020097491.tif 000036
【図９Ｌ】
2020097491.tif 000037
【図９Ｍ】
2020097491.tif 000038
【図９Ｎ】
2020097491.tif 000039
【図９Ｏ】
2020097491.tif 000040
【図９Ｐ】
2020097491.tif 000041
【図９Ｑ】
2020097491.tif 000042
【図９Ｒ】
2020097491.tif 000043
【図９Ｓ】
2020097491.tif 000044
【図９Ｔ】
2020097491.tif 000045
【図９Ｕ】
2020097491.tif 000046
【図１０Ａ】
2020097491.tif 000047
【図１０Ｂ】
2020097491.tif 000048
【図１０Ｃ】
2020097491.tif 000049
【図１０Ｄ】
2020097491.tif 000050
【図１０Ｅ】
2020097491.tif 000051
【図１０Ｆ】
2020097491.tif 000052
【図１０Ｇ】
2020097491.tif 000053
【図１１Ａ】
2020097491.tif 000054
【図１１Ｂ】
2020097491.tif 000055
【図１１Ｃ】
2020097491.tif 000056
【図１１Ｄ】
2020097491.tif 000057
【図１１Ｅ】
2020097491.tif 000058
【図１２Ａ】
2020097491.tif 000059
【図１２Ｂ】
2020097491.tif 000060
【図１２Ｃ】
2020097491.tif 000061
【図１２Ｄ】
2020097491.tif 000062
【図１３Ａ】
2020097491.tif 000063
【図１３Ｂ】
2020097491.tif 000064
【図１３Ｃ】
2020097491.tif 000065
【図１３Ｄ】
2020097491.tif 000066
【図１３Ｅ】
2020097491.tif 000067
【図１３Ｆ】
2020097491.tif 000068
【図１４Ａ】
2020097491.tif 000069
【図１４Ｂ】
2020097491.tif 000070
【外国語明細書】
2020097491000001.pdf